(57)【要約】【課題】絶縁パッケージ封止体を備える多辺形導電端子付き電極板対充放電装置を提供する。【解決手段】  本発明は、絶縁パッケージ封止体を備える多辺形導電端子付き電極板対充放電装置の一種を開示し、絶縁封止材料で多辺形導電端子を備える電極板対及び少なくとも両辺から延伸し、外部に対して電気エネルギー入出力導電端子の近隣で連接する電極板部に密閉封止し、二者を同時に密封することにより、絶縁パッケージ封止体を備える全密閉型充放電可能な装置、例えばリン酸鉄リチウム電池、リチウムニッケルマンガン・コバルト電池、リチウムイオンポリマー電池等のリチウムイオン電池、又はスパーコンデンサを形成し、また電極板対は少なくとも両辺の導電端子により構成される導電インターフェースを経て、外部に対して電気エネルギーを入出力する。【選択図】図19
2016009685.tif 000002
【特許請求の範囲】
【請求項１】
絶縁パッケージ封止体を備える多辺形導電端子付き電極板対充放電装置の一種は、絶縁封止材料で多辺形導電端子を備える電極板対及び少なくとも両辺から延伸し、外部に対して電気エネルギー入出力導電端子の近隣で連接する電極板部に密閉封止し、二者を同時に密封することにより、絶縁パッケージ封止体を備える全密閉型充放電可能な装置、リン酸鉄リチウム電池、リチウムニッケルマンガンコバルト電池、リチウムイオンポリマー電池を含むリチウムイオン電池、又はスーパーコンデンサを形成し、また電極板対は少なくとも両辺の導電端子により構成される導電インターフェースによって、外部に対して電気エネルギーを出入力し、
正電極板（１０１）は、１枚又はそれ以上の板状又は薄シート状多辺形正電極板により構成され、正電極板の向かい合う辺は、別々に少なくとも１個の電気エネルギー入出力導電端子を備え、正電極板表面に電気化学物質が塗布され、
負電極板（１０２）は、１枚又はそれ以上の板状又は薄シート状多辺形負電極板により構成され、負電極板の向かい合う辺は、別々に少なくとも１個の電気エネルギー入出力導電端子を備え、負電極板表面に電気化学物質が塗布すされ、
セパレータ（１０４）は、微孔性及び多孔性を備える薄膜であり、材質は主にＰＰ、ＰＥで、正負電極板の間に設置し、主な機能は正負電極を隔離したり、また自己放電及び両極の短絡を防いだりすることによって、異極性電極板の間及びニーズによって電極板の側辺に設置され、
多辺形電極板の向かい合う辺に個別に外部に向かって延伸する１個又はそれ以上の電気エネルギーを伝送する入出力端子を備え、また１枚又はそれ以上の正電極板と同じ数又は違う数の１枚又はそれ以上の負電極板の間にセパレータを挟んで設置し、また異極性電極板が交差して重なり合うことによって電極対を構成し、複数個の同極性電極板を備えるとき、各同極性電極板の同辺で電気エネルギーを伝送する同極性入出力端子間が電気的に並列接続し、
絶縁パッケージ封止体（１０５）は、各種の絶縁性を持つ硬質又は軟質封止材を含み、多辺形を有する導電端子の電極板対及び少なくとも両辺から延伸し、外部に対して電気エネルギー入出力導電端子の近隣と連接する電極板部に密閉封止し、二者を同時に密封することより、絶縁パッケージ封止体を備える全密閉型充放電可能な装置、リン酸鉄リチウム電池、リチウムニッケルマンガンコバルト電池、リチウムイオンポリマー電池を含むリチウムイオン電池、又はスーパーコンデンサを形成し、また電極板対は少なくとも両辺の導電端子により構成される導電インターフェースを経て、外部に対して電気エネルギーを出入力し、
上述の同一絶縁パッケージ封止体（１０５）の中の電極板対の正電極板（１０１）と負電極板（１０２）の数及びサイズの両方、又はいずれか一方を選択することができ、
１）同時に正電極板（１０１）と負電極板（１０２）の両方、又はいずれか一方の数を増やし、また正電極板（１０１）と負電極板（１０２）数は同じであり、
２）同時に正電極板（１０１）と負電極板（１０２）の両方、又はいずれか一方の数を増やし、また正電極板（１０１）と負電極板（１０２）の数が異なり、
３）正電極板（１０１）と負電極板（１０２）の両方、又はいずれか一方の一部の電極板の厚さが異なり、
４）正電極板（１０１）と負電極板（１０２）の両方、又はいずれか一方の両辺又はそれ以上に別々に電気エネルギー入出力導電端子を設置し、また中の少なくとも一辺は１個以上の電気エネルギー入出力導電端子を備えることを特徴とする、絶縁パッケージ封止体を備える多辺形導電端子付き電極板対充放電装置。
【請求項２】
中に１個又はそれ以上の充放電セルを１個又はそれ以上の筐体内部に入れ込み、また集中してモジュール構造を作り、導電体を通して、又は各充放電装置の入出力導電インターフェースによって連結することによって、電気エネルギーを伝送し、構成は筐体（１２０）の中に１個又はそれ以上の充放電セルを入れ込み、
筐体（１２０）は、柔軟性（可撓性）又は硬質材料により構成されることを特徴とする請求項１に記載の絶縁パッケージ封止体を備える多辺形導電端子付き電極板対充放電装置。
【請求項３】
絶縁パッケージ封止体を備える多辺形導電端子付き電極板対充放電装置へ応用し、多辺形導電端子付き電極板対は一辺に設置する正負極性入出力導電端子を経て、入出力導電インターフェースを構成し、外部に対して電気エネルギーを伝送し、直列接続、並列接続、直並列接続し、又はモジュールを作り、主な構成は下記を含み、
正電極板（１０１）は、１枚又はそれ以上の板状又は薄いシート状四辺形正電極板により構成され、正電極板の向かい合う辺は、別々に少なくとも１個の電気エネルギー入出力導電端子を備え、正電極板表面に電気化学物質が塗布され、
負電極板（１０２）は、１枚又はそれ以上の板状又は薄いシート状四辺形負電極板により構成され、負電極板の向かい合う辺は、別々に少なくとも１個の電気エネルギー入出力導電端子を備え、負電極板表面に電気化学物質が塗布され、
セパレータ（１０４）は、微孔性及び多孔性を備える薄膜であり、材質は主にＰＰ、ＰＥで、正負電極板の間に設置し、主な機能は正負電極を隔離したり、また自己放電及び両極の短絡を防いだりすることによって、異極性電極板の間及びニーズによって電極板の側辺に設置され、
四辺形電極板の向かい合う辺に個別に外側に向かって延伸する１個又はそれ以上電気エネルギーを伝送する入出力端子を備え、また１枚又はそれ以上の正電極板と同じ数又は違う数の１枚又はそれ以上の負電極板の間にセパレータを挟んで設置し、また異極性電極板が交差して重なり合うことによって電極対を構成し、複数個の同極性電極板を備えるとき、各同極性電極板の同辺で電気エネルギーを伝送する同極性入出力端子間で電気的に並列接続し、
絶縁パッケージ封止体（１０５）は、各種の絶縁性を持つ硬質又は軟質封止材を含み、絶縁パッケージ封止体（１０５）の周辺を封鎖して中空リング状にし、両端の開口部にセパレータ（１０４）の正電極板（１０１）と負電極板（１０２）を挟んで設置し、絶縁パッケージ封止体（１０５）の１つの開口端に電気エネルギー入出力導電端子（１０１１）と電気エネルギー入出力導電端子（１０２１）を露出させ、また絶縁パッケージ封止体（１０５）を加工して密封区（１０５１）にすることによって、電気エネルギー入出力導電端子（１０１１）と電気エネルギー入出力導電端子（１０２１）の電極板部付近を封鎖し、また電気エネルギー入出力導電端子（１０１１）と電気エネルギー入出力導電端子（１０２１）末端部を同側に露出させ、絶縁パッケージ封止体（１０５）に電解液又は電解質を注入し、別の開口端に電気エネルギー入出力導電端子（１０１２）と電気エネルギー入出力導電端子（１０２２）を露出させ、及び絶縁パッケージ封止体（１０５）を加工して密封区（１０５２）にすることによって、電気エネルギー入出力導電端子（１０１２）と電気エネルギー入出力導電端子（１０２２）の電極板部付近を封鎖し、また電気エネルギー入出力導電端子（１０１２）と電気エネルギー入出力導電端子（１０２２）末端部を露出させ、かつ絶縁パッケージ封止体（１０５）の密封区（１０５２）外部に沿って内部に向かって曲げることによって、別々に側面正極導電体（１０９）及び側面負極導電体（１１０）に連結し、中の電気エネルギー入出力導電端子（１０１２）は側面正極導電体（１０９）の一端と電気的に結合し、側面正極導電体（１０９）の他端は電気エネルギー入出力導電端子（１０１１）と電気的に結合し、また正極性電気的に並列接続し、電気エネルギー入出力導電端子（１０２２）は側面負極導電体（１１０）の一端と電気的に結合し、側面負極導電体（１１０）の他端は電気エネルギー入出力導電端子（１０２１）と電気的に結合し、また負極性電気的に並列接続することによって、１つの充放電セルを構成し、
側面正極導電体（１０９）は導電材料により構成され、絶縁パッケージ封止体（１０５）の片側に貼付けられ、
側面負極導電体（１１０）は導電材料により構成され、絶縁パッケージ封止体（１０５）の他側に貼付けられ、
上述の側面正極導電体（１０９）及び側面負極導電体（１１０）は、四辺形のシート状、縞状シート状、又は円形のシート状導電体により構成されることを含み、上下両端に別々に導電性ストリップが延伸し、また側面正極導電体（１０９）の上下端から別々に導電性ストリップが延伸し、更に別々に正極性の電気エネルギー入出力導電端子（１０１１）、電気エネルギー入出力導電端子（１０１２）と電気的に結合し、及び側面負極導電体（１１０）上下端から別々に導電性ストリップが延伸し、更に別々に負極性の電気エネルギー入出力導電端子（１０２１）、電気エネルギー入出力導電端子（１０２２）と電気的に結合することを特徴とする請求項１又は２に記載の絶縁パッケージ封止体を備える多辺形導電端子付き電極板対充放電装置。
【請求項４】
正電極板（１０１）と側面正極導電体（１０９）、負電極板（１０２）と側面負極導電体（１１０）の一体化により構成されることを特徴とする請求項３に記載の絶縁パッケージ封止体を備える多辺形導電端子付き電極板対充放電装置。
【請求項５】
正電極板（１０１）と側面正極導電体（１０９）、負電極板（１０２）と側面負極導電体（１１０）の一体化により構成され、また電極対の両辺に少なくとも１個の正極入出力導電端子を設置し、及び少なくとも１個の負極入出力導電端子と両側のシート状側面正極導電体（１０９）、側面負極導電体（１１０）により多入出力導電インターフェースを構成することを特徴とする請求項３に記載の絶縁パッケージ封止体を備える多辺形導電端子付き電極板対充放電装置。
【請求項６】
電極対の両辺に折り返す構造を設置することによって正極・負極入出力導電端子を構成し、及び両側のシート状側面正極導電体（１０９）、側面負極導電体（１１０）により多入出力導電インターフェースを構成することを特徴とする請求項３に記載の絶縁パッケージ封止体を備える多辺形導電端子付き電極板対充放電装置。
【請求項７】
電極対同側の両辺に異極性入出力導電端子を１個ずつ設置し、及び電極対両側のシート状側面正極導電体（１０９）、側面負極導電体（１１０）により多入出力導電インターフェースを構成することを特徴とする請求項３に記載の絶縁パッケージ封止体を備える多辺形導電端子付き電極板対充放電装置。
【請求項８】
絶縁パッケージ封止体を備える多辺形導電端子付き電極板対充放電装置両側の側面正極導電体（１０９）、側面負極導電体（１１０）入出力導電インターフェースの構造として使うことによって、単独使用、直列接続、並列接続、又は直並列接続へ応用し、
中の片側面正極導電体（１０９）及び対側面負極導電体（１１０）の露出導電面により直接入出力導電インターフェースを構成することによって、単独使用、直列接続、並列接続、又は直並列接続へ応用し、
側面正極導電体（１０９）の露出面に側面正極補助用導電体（１０９１）を設置し、側面負極導電体（１１０）の露出面に側面負極補助用導電体（１１０１）を設置し、入出力導電インターフェースを構成することによって、単独使用又は直列接続、並列接続、直並列接続へ応用し、
側面正極導電体（１０９）の中間部に１箇所又はそれ以上の外部に向かって突出する構造を作り、及び側面負極導電体（１１０）の中間部に１箇所又はそれ以上の外部に向かって突出する構造を作り、入出力導電インターフェースを構成することによって、単独使用又は直列接続、並列接続、直並列接続へ応用することを特徴とする請求項３に記載の絶縁パッケージ封止体を備える多辺形導電端子付き電極板対充放電装置。
【請求項９】
両辺から延伸する入出力導電端子の正電極板（１０１）、負電極板（１０２）、及びセパレータ（１０４）は巻式構造であり、辺縁部の端子、両側側面正極導電体（１０９）、側面負極導電体（１１０）の全部又は一部により多入出力導電インターフェースを構成することを示すことを特徴とする請求項３に記載の絶縁パッケージ封止体を備える多辺形導電端子付き電極板対充放電装置。
【請求項１０】
少なくとも両側側面正極導電体（１０９）、側面負極導電体（１１０）を含み、及び少なくとも一辺縁の入出力導電端子を分離設置することに合わせて、共同して多入出力導電インターフェースを形成することを特徴とする請求項９に記載の絶縁パッケージ封止体を備える多辺形導電端子付き電極板対充放電装置。
【請求項１１】
両側の単層絶縁パッケージ封止体（１０５）を絶縁封止し、また両辺の入出力導電端子を隣接設置することに合わせて、多入出力導電インターフェースを形成することを特徴とする請求項９に記載の絶縁パッケージ封止体を備える多辺形導電端子付き電極板対充放電装置。
【請求項１２】
両側側面正極導電体（１０９）、側面負極導電体（１１０）及び両辺の入出力導電端子に合わせて、多入出力導電インターフェースを形成することを特徴とする請求項９に記載の絶縁パッケージ封止体を備える多辺形導電端子付き電極板対充放電装置。
【請求項１３】
絶縁パッケージ封止体を備える多辺形導電端子付き電極板対充放電装置へ応用し、パッキング封止後の多辺形導電端子付き電極板対は単一正極性及び単一負極性入出力導電端子を経て、入出力導電インターフェースを構成し、外部に対して電気エネルギーを伝送し、直列接続、並列接続、直並列接続し、又はモジュールを作り、
正電極板（１０１）は、１枚又はそれ以上の板状又は薄いシート状四辺形正電極板により構成され、正電極板の向かい合う辺は、別々に少なくとも１個の電気エネルギー入出力導電端子を備え、正電極板表面に電気化学物質が塗布され、
負電極板（１０２）は、１枚又はそれ以上の板状又は薄いシート状四辺形負電極板により構成され、負電極板の向かい合う辺は、別々に少なくとも１個の電気エネルギー入出力導電端子を備え、負電極板表面に電気化学物質が塗布され、
セパレータ（１０４）は、微孔性及び多孔性を備える薄膜であり、材質は主にＰＰ、ＰＥで、正負電極板の間に設置し、主な機能は正負電極を隔離したり、また自己放電及び両極の短絡を防いだりすることによって、異極性電極板の間及びニーズによって電極板の側辺に設置され、
四辺形電極板の向かい合う辺に個別に外側に向かって延伸する１個又はそれ以上電気エネルギーを伝送する入出力端子を備え、また１枚又はそれ以上の正電極板と同じ数又は違う数の１枚又はそれ以上の負電極板の間にセパレータを挟んで設置し、また異極性電極板が交差して重なり合うことによって電極対を構成し、複数個の同極性電極板を備えるとき、各同極性電極板の同辺で電気エネルギーを伝送する同極性入出力端子間で電気的に並列接続され、
絶縁パッケージ封止体（１０５）は、各種の絶縁性を持つ硬質又は軟質封止材を含み、絶縁パッケージ封止体（１０５）の周辺を封鎖して中空リング状にし、両端の開口部にセパレータ（１０４）の正電極板（１０１）と負電極板（１０２）を挟んで設置し、絶縁パッケージ封止体（１０５）の１つの開口端に電気エネルギー入出力導電端子（１０１１）と電気エネルギー入出力導電端子（１０２１）を露出させ、また絶縁パッケージ封止体（１０５）を加工して密封区（１０５１）にすることによって、電気エネルギー入出力導電端子（１０１１）と電気エネルギー入出力導電端子（１０２１）の電極板部付近を封鎖し、また電気エネルギー入出力導電端子（１０１１）と電気エネルギー入出力導電端子（１０２１）末端部を同側に露出させ、一辺の入出力導電インターフェースを構成し、絶縁パッケージ封止体（１０５）に電解液又は電解質を注入し側面正極導電体（１０９）を絶縁パッケージ封止体（１０５）外部の片側に貼付け、また電気エネルギー入出力導電端子（１０１１）と電気エネルギー入出力導電端子（１０１２）の間で電気的に結合し、側面負極導電体（１１０）を絶縁パッケージ封止体（１０５）外部の他側に貼付け、また電気エネルギー入出力導電端子（１０２１）及び電気エネルギー入出力導電端子（１０２２）の間で電気的に結合し、絶縁パッケージ封止体（１０５）の他端は２枚の折り返しパッケージ封止部（１０５０）を備え、他端の電気エネルギー入出力導電端子（１０１２）、電気エネルギー入出力導電端子（１０２２）、及び絶縁パッケージ封止体（１０５）を加工して密封区（１０５２）にすることにより、電気エネルギー入出力導電端子（１０１２）、電気エネルギー入出力導電端子（１０２２）を封鎖し、更に２枚の折り返しパッケージ封止部（１０５０）は別々に絶縁パッケージ封止体（１０５）の密封区（１０５２）外部の両側に沿って上に向かって折り返しすることによって、別々に側面正極導電体（１０９）及び側面負極導電体（１１０）に密閉封止してから、更に上に向かって延伸し、電気エネルギー入出力導電端子（１０１１）と電気エネルギー入出力導電端子（１０２１）の付近で電極板部を密封区（１０５１）に密封し、中の電気エネルギー入出力導電端子（１０１２）は側面正極導電体（１０９）の一端と電気的に結合し、更に側面正極導電体（１０９）の他端を経て、電気エネルギー入出力導電端子（１０１１）と電気的に結合し、また正極性電気的に並列接続すされ、電気エネルギー入出力導電端子（１０２２）は、側面負極導電体（１１０）の一端と電気的に結合し、更に側面負極導電体（１１０）の他端を経て、電気エネルギー入出力導電端子（１０２１）と電気的に結合し、また負極性電気的に並列接続することによって、絶縁パッケージ封止体を備える多辺形導電端子付き電極板対充放電装置を構成し、また露出する電気エネルギー入出力導電端子（１０１１）と電気エネルギー入出力導電端子（１０２１）末端部によって一辺の入出力導電インターフェースを構成し、
側面正極導電体（１０９）は導電材料により構成され、絶縁パッケージ封止体（１０５）の片側に貼付けられ、
側面負極導電体（１１０）は導電材料により構成され、絶縁パッケージ封止体（１０５）の他側に貼付けられ、
上述の側面正極導電体（１０９）及び側面負極導電体（１１０）は、四辺形のシート状、縞状シート状、又は円形のシート状導電体により構成されることを含み、上下両端に別々に導電性ストリップが延伸し、また側面正極導電体（１０９）の上下端から別々に導電性ストリップが延伸し、更に別々に正極性の電気エネルギー入出力導電端子（１０１１）、電気エネルギー入出力導電端子（１０１２）と電気的に結合し、及び側面負極導電体（１１０）上下端から別々に導電性ストリップが延伸し、更に別々に負極性の電気エネルギー入出力導電端子（１０２１）と電気エネルギー入出力導電端子（１０２２）を電気的に並列接続し、及び側面負極導電体（１１０）上下端から別々に延伸する導電性ストリップと別々に負極性の電気エネルギー入出力導電端子（１０２１）、電気エネルギー入出力導電端子（１０２２）を電気的に並列接続させ、更に電気エネルギー入出力導電端子（１０１１）と電気エネルギー入出力導電端子（１０２１）の露出部により一辺の入出力導電インターフェースを構成することを特徴とする請求項１又は２に記載の絶縁パッケージ封止体を備える多辺形導電端子付き電極板対充放電装置。
【請求項１４】
絶縁パッケージ封止体を備える多辺形導電端子付き電極板対充放電装置両側の側面正極導電体（１０９）、側面負極導電体（１１０）入出力導電インターフェースの構造として使うことによって、単独使用、直列接続、並列接続、又は直並列接続へ応用し、
中の片側面正極導電体（１０９）及び対側面負極導電体（１１０）の露出導電面により直接入出力導電インターフェースを構成することによって、単独使用、直列接続、並列接続、又は直並列接続へ応用可能であり、
側面正極導電体（１０９）の露出面に側面正極補助用導電体（１０９１）を設置し、側面負極導電体（１１０）の露出面に側面負極補助用導電体（１１０１）を設置し、入出力導電インターフェースを構成することによって、単独使用又は直列接続、並列接続、直並列接続へ応用可能であり、
側面正極導電体（１０９）の中間部に１箇所又はそれ以上の外部に向かって突出する構造を作り、及び側面負極導電体（１１０）の中間部に１箇所又はそれ以上の外部に向かって突出する構造を作り、入出力導電インターフェースを構成することによって、単独使用又は直列接続、並列接続、直並列接続へ応用することを特徴とする請求項１３に記載の絶縁パッケージ封止体を備える多辺形導電端子付き電極板対充放電装置。
【請求項１５】
シート状側面正極導電体（１０９）及び側面負極導電体（１１０）を備える電極対の片側を正極入出力導電端子とし、他側を負極入出力導電端子とすることによって、一辺の入出力導電インターフェースを構成し、
正電極板（１０１）は、１枚又はそれ以上の板状又は薄いシート状四辺形正電極板により構成される。正電極板の向かい合う辺は、別々に少なくとも１個の電気エネルギー入出力導電端子を備え、正電極板表面に電気化学物質が塗布され、
負電極板（１０２）は、１枚又はそれ以上の板状又は薄いシート状四辺形負電極板により構成される。負電極板の向かい合う辺は、別々に少なくとも１個の電気エネルギー入出力導電端子を備え、負電極板表面に電気化学物質が塗布され、
セパレータ（１０４）は、微孔性及び多孔性を備える薄膜であり、材質は主にＰＰ、ＰＥで、正負電極板の間に設置し、主な機能は正負電極を隔離したり、また自己放電及び両極の短絡を防いだりすることによって、異極性電極板の間及びニーズによって電極板の側辺に設置され、
四辺形電極板の向かい合う辺に個別に外側に向かって延伸する１個又はそれ以上電気エネルギーを伝送する入出力端子を備え、また１枚又はそれ以上の正電極板と同じ数又は違う数の１枚又はそれ以上の負電極板の間にセパレータを挟んで設置し、また異極性電極板が交差して重なり合うことによって電極対を構成し、複数個の同極性電極板を備えるとき、各同極性電極板の同辺で電気エネルギーを伝送する同極性入出力端子間で電気的に並列接続し、
絶縁パッケージ封止体（１０５）は、各種の絶縁性を持つ硬質又は軟質封止材を含み、絶縁パッケージ封止体（１０５）の周辺を封鎖して中空リング状にし、両端の開口部辺にセパレータ（１０４）の正電極板（１０１）と負電極板（１０２）を挟んで設置し、
絶縁パッケージ封止体（１０５）の末端に折り返しパッケージ封止部（１０５０）を備え、また側面負極導電体（１１０）内側絶縁の絶縁パッケージ封止体（１０５）の上に向かって折り返しパッケージ封止部（１０５０）、側面正極導電体（１０９）内側絶縁の絶縁パッケージ封止体（１０５）の上に向かって延伸部を加工して密封区（１０５１）にすることによって、電気エネルギー入出力導電端子（１０１１）と側面正極導電体（１０９）の上に向かって延伸部の二者の電気的に結合箇所を封鎖し、及び側面正極導電体（１０９）内側絶縁の絶縁パッケージ封止体（１０５）の上に向かって折り返しパッケージ封止部（１０５０）、側面負極導電体（１１０）内側絶縁の絶縁パッケージ封止体（１０５）の上に向かって延伸部を加工して密封区（１０５１）にすることによって、電気エネルギー入出力導電端子（１０２１）と側面負極導電体（１１０）の上に向かって延伸部の電気的に結合箇所を封鎖し、絶縁パッケージ封止体（１０５）内部に電解液又は電解質を注入し、また側面負極導電体（１１０）内側絶縁の絶縁パッケージ封止体（１０５）の下に向かって折り返しパッケージ封止部（１０５０）と側面正極導電体（１０９）内側絶縁の絶縁パッケージ封止体（１０５）の下に向かって延伸部を加工して密封区（１０５２）にすることによって電気エネルギー入出力導電端子（１０１２）と側面正極導電体（１０９）の下に向かって延伸部の二者の電気的に結合箇所を封鎖し、側面正極導電体（１０９）内側絶縁の絶縁パッケージ封止体（１０５）の下に向かって折り返しパッケージ封止部（１０５０）と側面負極導電体（１１０）内側絶縁の絶縁パッケージ封止体（１０５）の下に向かって延伸部を加工して密封区（１０５２）にすることによって電気エネルギー入出力導電端子（１０２２）と側面負極導電体（１１０）の下に向かって延伸部の電気的に結合箇所を封鎖し、中の電気エネルギー入出力導電端子（１０１２）は側面正極導電体（１０９）の一端と電気的に結合し、更に側面正極導電体（１０９）の他端を経て、電気エネルギー入出力導電端子（１０１１）と電気的に結合し、また正極性電気的に並列接続する。電気エネルギー入出力導電端子（１０２２）は側面負極導電体（１１０）の一端と電気的に結合し、更に側面負極導電体（１１０）の他端を経て、電気エネルギー入出力導電端子（１０２１）と電気的に結合し、また負極性電気的に並列接続し、更に側面正極導電体（１０９）の露出導電面及び側面負極導電体（１１０）の露出導電面により一辺の入出力導電インターフェースを構成し、
側面正極導電体（１０９）は、導電材料により構成され、正極入出力導電端子であり、
側面負極導電体（１１０）は、導電材料により構成され、負極入出力導電端子であり、
上述の側面正極導電体（１０９）及び側面負極導電体（１１０）は、四辺形のシート状、縞状シート状、又は円形のシート状導電体により構成されることを含み、上下両端に別々に導電性ストリップが延伸し、また側面正極導電体（１０９）の上下端から別々に導電性ストリップが延伸し、更に別々に正極性の電気エネルギー入出力導電端子（１０１１）と電気エネルギー入出力導電端子（１０１２）を電気的に並列接続し、及び側面負極導電体（１１０）上下端から別々に導電性ストリップが延伸し、更に別々に負極性の電気エネルギー入出力導電端子（１０２１）と電気エネルギー入出力導電端子（１０２２）を電気的に並列接続し、また側面正極導電体（１０９）の露出導電面及び側面負極導電体（１１０）の露出導電面により一辺の入出力導電インターフェースを構成することを特徴とする請求項１３に記載の絶縁パッケージ封止体を備える多辺形導電端子付き電極板対充放電装置。
【請求項１６】
絶縁パッケージ封止体を備える多辺形導電端子付き電極板対充放電装置中の電極板対の中の一辺の入出力導電端子及び側面正極導電体（１０９）、側面負極導電体（１１０）を単層絶縁密封し、また中の一辺の入出力導電端子を一辺の入出力導電インターフェースの巻式構造とすることを特徴とする請求項１３に記載の絶縁パッケージ封止体を備える多辺形導電端子付き電極板対充放電装置。
【請求項１７】
側面正極導電体（１０９）、側面負極導電体（１１０）及び中の一辺の入出力導電端子を単層絶縁密封し、また正電極板（１０１）、負電極板（１０２）、セパレータ（１０４）及び側面正極導電体（１０９）、側面負極導電体（１１０）は巻式構造であり、また１個又はそれ以上の正極入出力導電端子及び１個又はそれ以上の負極入出力導電端子を分離設置することに合わせて、一辺の入出力導電インターフェースを構成することを特徴とする請求項１６に記載の絶縁パッケージ封止体を備える多辺形導電端子付き電極板対充放電装置。
【請求項１８】
側面正極導電体（１０９）、側面負極導電体（１１０）及び中の一辺の入出力導電端子を単層絶縁密封し、また正電極板（１０１）、負電極板（１０２）、セパレータ（１０４）及び側面正極導電体（１０９）、側面負極導電体（１１０）は巻式構造であり、また一辺に隣接設置する１個又はそれ以上の正極入出力導電端子及び１個又はそれ以上の負極入出力導電端子を隣接設置し、同極性に並列接続することに合わせて、一辺の入出力導電インターフェースを構成することを特徴とする請求項１６に記載の絶縁パッケージ封止体を備える多辺形導電端子付き電極板対充放電装置。
【請求項１９】
絶縁パッケージ封止体を備える多辺形導電端子付き電極板対充放電装置中の電極板対の中の電極板対両辺の入出力導電端子を単層絶縁密封し、また側面正極導電体（１０９）及び側面負極導電体（１１０）により一辺の入出力導電インターフェースの巻式構造とすることを特徴とする請求項１３に記載の絶縁パッケージ封止体を備える多辺形導電端子付き電極板対充放電装置。
【請求項２０】
電極板対の両辺の入出力導電端子を単層絶縁密封し、また両側の側面正極導電体（１０９）及び側面負極導電体（１１０）に合わせて、一辺の入出力導電インターフェースを構成することを特徴とする請求項１９に記載の絶縁パッケージ封止体を備える多辺形導電端子付き電極板対充放電装置。
【請求項２１】
絶縁パッケージ封止体を備える多辺形導電端子付き電極板対充放電装置へ応用し、多辺形導電端子付き電極板対は一辺に設置する正負極性入出力導電端子を経て、入出力導電インターフェースを構成することによって、外部に対して電気エネルギーを伝送し、直列接続、並列接続、直並列接続し、又はモジュールを作り、主な構成は下記を含み、
正電極板（１０１）は、１枚又はそれ以上の板状又は薄いシート状四辺形正電極板により構成され、正電極板の向かい合う辺は、別々に少なくとも１個の電気エネルギー入出力導電端子を備え、正電極板表面に電気化学物質が塗布され、
負電極板（１０２）は、１枚又はそれ以上の板状又は薄いシート状四辺形負電極板により構成され、負電極板の向かい合う辺は、別々に少なくとも１個の電気エネルギー入出力導電端子を備え、負電極板表面に電気化学物質が塗布され、
セパレータ（１０４）は、微孔性及び多孔性を備える薄膜であり、材質は主にＰＰ、ＰＥで、正負電極板の間に設置し、主な機能は正負電極を隔離したり、また自己放電及び両極の短絡を防いだりすることによって、異極性電極板の間及びニーズによって電極板の側辺に設置され、
四辺形電極板の向かい合う辺に個別に外側に向かって延伸する１個又はそれ以上電気エネルギーを伝送する入出力端子を備え、また１枚又はそれ以上の正電極板と同じ数又は違う数の１枚又はそれ以上の負電極板の間にセパレータを挟んで設置し、また異極性電極板が交差して重なり合うことによって電極対を構成し、複数個の同極性電極板を備えるとき、各同極性電極板の同辺で電気エネルギーを伝送する同極性入出力端子間で電気的に並列接続し、
絶縁パッケージ封止体（１０５）は、各種の絶縁性を持つ硬質又は軟質封止材を含み、絶縁パッケージ封止体（１０５）の周辺を封鎖して中空リング状にし、両端の開口部にセパレータ（１０４）の正電極板（１０１）と負電極板（１０２）を挟んで設置し、絶縁パッケージ封止体（１０５）の１つの開口端に電気エネルギー入出力導電端子（１０１１）と電気エネルギー入出力導電端子（１０２１）を露出させ、また絶縁パッケージ封止体（１０５）を加工して密封区（１０５１）にすることによって、電気エネルギー入出力導電端子（１０１１）と電気エネルギー入出力導電端子（１０２１）の電極板部付近を封鎖し、また電気エネルギー入出力導電端子（１０１１）と電気エネルギー入出力導電端子（１０２１）末端部を同側に露出させ、絶縁パッケージ封止体（１０５）に電解液又は電解質を注入し、別の開口端に電気エネルギー入出力導電端子（１０１２）と電気エネルギー入出力導電端子（１０２２）を露出させ、及び絶縁パッケージ封止体（１０５）を加工して密封区（１０５２）にすることによって、電気エネルギー入出力導電端子（１０１２）と電気エネルギー入出力導電端子（１０２２）の電極板部付近を封鎖し、また電気エネルギー入出力導電端子（１０１２）と電気エネルギー入出力導電端子（１０２２）末端部を露出させ、かつ絶縁パッケージ封止体（１０５）の密封区（１０５２）外部に沿って内部に向かって曲げることによって、別々に側面正極導電体（１０９）及び側面負極導電体（１１０）に連結し、中の電気エネルギー入出力導電端子（１０１２）は側面正極導電体（１０９）の一端と電気的に結合し、側面正極導電体（１０９）の他端は電気エネルギー入出力導電端子（１０１１）と電気的に結合し、また正極性電気的に並列接続され、電気エネルギー入出力導電端子（１０２２）は側面負極導電体（１１０）の一端と電気的に結合し、側面負極導電体（１１０）の他端は電気エネルギー入出力導電端子（１０２１）と電気的に結合し、また負極性電気的に並列接続することによって、１つの充放電セルを構成すし、
側面正極導電体（１０９）は導電材料により構成され、絶縁パッケージ封止体（１０５）の片側に貼付けられ、
側面負極導電体（１１０）は導電材料により構成され、絶縁パッケージ封止体（１０５）の他側に貼付けられ、
上述の側面正極導電体（１０９）及び側面負極導電体（１１０）は、四辺形のシート状、縞状シート状、又は円形のシート状導電体により構成されることを含む。上下両端に別々に導電性ストリップが延伸し、また側面正極導電体（１０９）の上下端から別々に導電性ストリップが延伸し、更に別々に正極性の電気エネルギー入出力導電端子（１０１１）、電気エネルギー入出力導電端子（１０１２）と電気的に結合し、及び側面負極導電体（１１０）上下端から別々に導電性ストリップが延伸し、更に別々に負極性の電気エネルギー入出力導電端子（１０２１）、電気エネルギー入出力導電端子（１０２２）と電気的に結合し、
外層補助絶縁パッケージ封止体（１０６）は、各種の絶縁性質である硬質又は軟質封止材の三面をシールして袋状することによって、絶縁パッケージ封止体（１０５）の中にある充放電セルを入れ込み、また充放電セルの電気エネルギー入出力導電端子（１０１１）及び電気エネルギー入出力導電端子（１０２１）は、外層補助絶縁パッケージ封止体（１０６）の開口端から外部に向かって露出し、また外層補助絶縁パッケージ封止体（１０６）を加工して外層密封加工区（１０６１）にし、絶縁パッケージ封止体（１０５）を密封区（１０５１）にすることによって、電気エネルギー入出力導電端子（１０１１）及び電気エネルギー入出力導電端子（１０２１）の中間部を封鎖し、また電気エネルギー入出力導電端子（１０１１）と電気エネルギー入出力導電端子（１０２１）最末端部を同側に露出させ、外部に対して電気エネルギー入出力導電端子とし、更に絶縁パッケージ封止体を備える多辺形導電端子付き電極板対充放電装置を構成することを特徴とする請求項１又は２に記載の絶縁パッケージ封止体を備える多辺形導電端子付き電極板対充放電装置。
【請求項２２】
正電極板（１０１）の一辺は一体的に延伸する電気エネルギー入出力導電端子（１０１２）及び側面正極導電体（１０９）を備え、更に電気エネルギー入出力導電端子（１０１１）と結合し、及び負電極板（１０２）の一辺は一体的に延伸する電気エネルギー入出力導電端子（１０２２）及び側面負極導電体（１１０）を備え、更に負電極板（１０２）と結合することより、一辺の入出力導電インターフェースを構成することを特徴とする請求項２１に記載の絶縁パッケージ封止体を備える多辺形導電端子付き電極板対充放電装置。
【請求項２３】
絶縁パッケージ封止体を備える多辺形導電端子付き電極板対充放電装置両側の側面正極導電体（１０９）、側面負極導電体（１１０）は、両側外層補助絶縁パッケージ封止体（１０６）の開口（１０６０）を経て、入出力導電インターフェースになることを特徴とする請求項２１に記載の絶縁パッケージ封止体を備える多辺形導電端子付き電極板対充放電装置。
【請求項２４】
絶縁パッケージ封止体を備える多辺形導電端子付き電極板対充放電装置両側の側面正極導電体（１０９）に側面正極補助用導電体（１０９１）を設置し、側面負極導電体（１１０）に側面負極補助用導電体（１１０１）を設置し、両側外層補助絶縁パッケージ封止体（１０６）の開口（１０６０）を経て、入出力導電インターフェースになることを特徴とする請求項２１に記載の絶縁パッケージ封止体を備える多辺形導電端子付き電極板対充放電装置。
【請求項２５】
絶縁パッケージ封止体を備える多辺形導電端子付き電極板対充放電装置両側の側面正極導電体（１０９）の中間部に外部に向かって突出する構造を作り、側面負極導電体（１１０）の中間部に外部に向かって突出する構造を作り、両側外層補助絶縁パッケージ封止体（１０６）の開口（１０６０）を経て、入出力導電インターフェースになることを特徴とする請求項２１に記載の絶縁パッケージ封止体を備える多辺形導電端子付き電極板対充放電装置。
【請求項２６】
電極板対の一辺の入出力導電端子、側面正極導電体（１０９）、及び側面負極導電体（１１０）の多層絶縁パッケージ封止体を密封し、また中の一辺の入出力導電端子を一辺の入出力導電インターフェースの巻式構造とすることを特徴とする請求項２１に記載の絶縁パッケージ封止体を備える多辺形導電端子付き電極板対充放電装置。
【請求項２７】
多層絶縁パッケージ封止体を密封し、また一辺に分離設置する１個又はそれ以上の正極入出力導電端子及び１個又はそれ以上の負極入出力導電端子を分離設置することに合わせて、一辺の入出力導電インターフェースを構成することを特徴とする請求項２６に記載の絶縁パッケージ封止体を備える多辺形導電端子付き電極板対充放電装置。
【請求項２８】
多層絶縁パッケージ封止体を密封し、また一辺に隣接設置する１個又はそれ以上の正極入出力導電端子及び１個又はそれ以上の負極入出力導電端子を隣接設置し、同極性に並列接続することに合わせて、一辺の入出力導電インターフェースを構成することを特徴とする請求項２６に記載の絶縁パッケージ封止体を備える多辺形導電端子付き電極板対充放電装置。
【請求項２９】
多層絶縁パッケージ封止体を密封し、側面正極導電体（１０９）の側面負極導電体（１１０）に合わせて、一辺の入出力導電インターフェースを構成することを特徴とする請求項２６に記載の絶縁パッケージ封止体を備える多辺形導電端子付き電極板対充放電装置。
【発明の詳細な説明】
【技術分野】
【０００１】
本発明は、絶縁パッケージ封止体を備える多辺形導電端子付き電極板対充放電装置の一種を開示し、絶縁封止材料で多辺形導電端子を備える電極板対及び少なくとも両辺から延伸し、外部に対して電気エネルギー入出力導電端子の近隣で連接する電極板部に密閉封止し、二者を同時に密封することにより、絶縁パッケージ封止体を備える全密閉型充放電可能な装置、例えばリン酸鉄リチウム電池、リチウムニッケルマンガン・コバルト電池、リチウムイオンポリマー電池等のリチウムイオン電池、又はスパーコンデンサを形成し、また電極板対は少なくとも両辺の導電端子により構成される導電インターフェースを経て、外部に対して電気エネルギーを入出力する。２個又はそれ以上の絶縁パッケージ封止体を備える充放電装置を直列接続、並列接続、先ず直列接続してから更に並列接続させ、又は先ず並列接続してから更に直列接続させる充放電装置モジュールによって各種の応用ニーズに応え、上述の絶縁パッケージ封止体を備える充放電装置は直接使用可能であり、絶縁パッケージ封止体を備える多辺形導電端子付き電極板対の外部に更に保護用筐体を封止することができる。
【背景技術】
【０００２】
従来の多辺形導電端子付き電極板対を備える充放電装置は、槽状構造を有する筐体に電極板対を入れ込み、更に筐体と筐体端を密閉溶接又は接着させ、また多辺形導電端子付き電極板対を備える導電端子は、筐体又は筐体端の貫通孔を貫通して外部に向かって延伸し、更に貫通孔に密閉封止材を充填することによって、密閉封止構造を構成する。製造過程は煩雑で、また密閉箇所の品質管理は困難であるために、長時間使用すると密閉構造が劣化する。
【発明の概要】
【発明が解決しようとする課題】
【０００３】
従来の多辺形導電端子付き電極板対を備える充放電装置は、槽状構造を有する筐体に電極板対を入れ込み、更に筐体と筐体端を密閉溶接又は接着させ、また多辺形導電端子付き電極板対を備える導電端子は、筐体又は筐体端の貫通孔を貫通して外部に向かって延伸し、更に貫通孔に密閉封止材を充填することによって、密閉封止構造を構成する。製造過程は煩雑で、また密閉箇所の品質管理は困難であるために、長時間使用すると密閉構造が劣化する。
【課題を解決するための手段】
【０００４】
本発明は、絶縁パッケージ封止体を備える多辺形導電端子付き電極板対充放電装置の一種を開示し、絶縁封止材料で多辺形導電端子を備える電極板対及び少なくとも両辺から延伸し、外部に対して電気エネルギー入出力導電端子の近隣で連接する電極板部に密閉封止し、二者を同時に密封することにより、絶縁パッケージ封止体を備える全密閉型充放電可能な装置、例えばリン酸鉄リチウム電池、リチウムニッケルマンガン・コバルト電池、リチウムイオンポリマー電池等のリチウムイオン電池、又はスパーコンデンサを形成し、また電極板対は少なくとも両辺の導電端子により構成される導電インターフェースを経て、外部に対して電気エネルギーを入出力する。
【０００５】
２個又はそれ以上の絶縁パッケージ封止体を備える充放電装置を直列接続、並列接続、先ず直列接続してから更に並列接続させ、又は先ず並列接続してから更に直列接続させる充放電装置モジュールによって各種の応用ニーズに応え、上述の絶縁パッケージ封止体を備える充放電装置は直接使用可能であり、絶縁パッケージ封止体を備える多辺形導電端子付き電極板対の外部に更に保護用筐体を封止することができる。
【図面の簡単な説明】
【０００６】
【図１】従来の一辺の電気エネルギー伝送端子付き電極板の構成模式図を示す。
【図２】従来の一辺の電気エネルギー伝送端子付き電極板対により構成する充放電装置セルの構造模式図を示す。
【図３】図２の側面断面図を示す。
【図４】従来の多辺形電気エネルギー伝送端子付き電極板の例の一を示す。
【図５】従来の多辺形電気エネルギー伝送端子付き電極板の例の二を示す。
【図６】従来の多辺形電気エネルギー伝送端子付き電極板の例の三を示す。
【図７】従来の多辺形電気エネルギー伝送端子付き電極板の例の四を示す。
【図８】従来の円形電気エネルギー伝送端子付き電極板の例を示す。
【図９】本発明において、電極対の一辺にある正極・負極入出力導電端子、両側の四辺形のシート状側面正極導電体（１０９）、及び側面負極導電体（１１０）により多入出力導電インターフェースを構成する実施例を示す模式図である。
【図１０】図９のＡ−Ａ側断面図を示す。
【図１１】図９のＢ−Ｂ側断面図を示す。
【図１２】本発明において、電極対の一辺にある正極・負極入出力導電端子、両側の縞状シート状側面正極導電体（１０９）、及び側面負極導電体（１１０）により多入出力導電インターフェースを構成する実施例を示す模式図である。
【図１３】本発明において、電極対の一辺にある正極・負極入出力導電端子、両側の縞状シート状側面正極導電体（１０９）、及び側面負極導電体（１１０）により多入出力導電インターフェースを構成する実施例を示す模式図である。
【図１４】本発明において、正電極板（１０１）と側面正極導電体（１０９）、負電極板（１０２）と側面負極導電体（１１０）の一体化により構成され、また電極対の一辺に正極・負極入出力導電端子を設置し、及び両側の四辺形のシート状側面正極導電体（１０９）、側面負極導電体（１１０）により多入出力導電インターフェースを構成する実施例を示す模式図である。
【図１５】図１４のＡ−Ａ側断面図を示す。
【図１６】図１４のＢ−Ｂ側断面図を示す。
【図１７】本発明において、正電極板（１０１）と側面正極導電体（１０９）、負電極板（１０２）と側面負極導電体（１１０）の一体化により構成され、また電極対の一辺に正極・負極入出力導電端子を設置し、及び両側の縞状シート状側面正極導電体（１０９）、側面負極導電体（１１０）により多入出力導電インターフェースを構成する実施例を示す模式図である。
【図１８】本発明において、正電極板（１０１）と側面正極導電体（１０９）、負電極板（１０２）と側面負極導電体（１１０）の一体化により構成され、また電極対の一辺に正極・負極入出力導電端子を設置し、及び両側の円形のシート状側面正極導電体（１０９）、側面負極導電体（１１０）により多入出力導電インターフェースを構成する実施例を示す模式図である。
【図１９】本発明において、正電極板（１０１）と側面正極導電体（１０９）、負電極板（１０２）と側面負極導電体（１１０）の一体化により構成され、また電極対の両辺に少なくとも１個の正極入出力導電端子を設置し、及び少なくとも１個の正極・負極入出力導電端子と両側の四辺形のシート状側面正極導電体（１０９）、側面負極導電体（１１０）により多入出力導電インターフェースを構成する実施例を示す模式図である。
【図２０】図１９のＡ−Ａ側断面図を示す。
【図２１】図１９のＢ−Ｂ側断面図を示す。
【図２２】本発明において、正電極板（１０１）と側面正極導電体（１０９）、負電極板（１０２）と側面負極導電体（１１０）の一体化により構成され、また電極対の両辺に少なくとも１個の正極入出力導電端子を設置し、及び少なくとも１個の正極・負極入出力導電端子と両側の縞状シート状側面正極導電体（１０９）、側面負極導電体（１１０）により多入出力導電インターフェースを構成する実施例を示す模式図である。
【図２３】本発明において、正電極板（１０１）と側面正極導電体（１０９）、負電極板（１０２）と側面負極導電体（１１０）の一体化により構成され、また電極対の両辺に少なくとも１個の正極入出力導電端子を設置し、及び少なくとも１個の正極・負極入出力導電端子と両側の円形のシート状側面正極導電体（１０９）、側面負極導電体（１１０）により多入出力導電インターフェースを構成する実施例を示す模式図である。
【図２４】本発明において、電極対の両辺に折り返す構造を設置することによって正極・負極入出力導電端子を構成し、及び両側の四辺形のシート状側面正極導電体（１０９）、側面負極導電体（１１０）により多入出力導電インターフェースを構成する実施例を示す模式図である。
【図２５】に図２４のＡ−Ａ側断面図を示す。
【図２６】に図２４のＢ−Ｂ側断面図を示す。
【図２７】本発明において、電極対の両辺に折り返す構造を設置することによって正極・負極入出力導電端子を構成し、及び両側の縞状シート状側面正極導電体（１０９）、側面負極導電体（１１０）により多入出力導電インターフェースを構成する実施例を示す模式図である。
【図２８】本発明において、電極対の両辺に折り返す構造を設置することによって正極・負極入出力導電端子を構成し、及び両側の円形のシート状側面正極導電体（１０９）、側面負極導電体（１１０）により多入出力導電インターフェースを構成する実施例を示す模式図である。
【図２９】本発明において、電極対同側の両辺に異極性入出力導電端子を１個ずつ設置し、及び電極対両側の四辺形のシート状側面正極導電体（１０９）、側面負極導電体（１１０）により多入出力導電インターフェースを構成する実施例を示す模式図である。
【図３０】に図２９のＡ−Ａ側断面図を示す。
【図３１】に図２９のＢ−Ｂ側断面図を示す。
【図３２】本発明において、電極対同側の両辺に異極性入出力導電端子を１個ずつ設置し、及び電極対両側の縞状シート状側面正極導電体（１０９）、側面負極導電体（１１０）により多入出力導電インターフェースを構成する実施例を示す模式図である。
【図３３】本発明において、電極対同側の両辺に異極性入出力導電端子を１個ずつ設置し、及び電極対両側の円形のシート状側面正極導電体（１０９）、側面負極導電体（１１０）により多入出力導電インターフェースを構成する実施例を示す模式図である。
【図３４】本発明において、充放電セルを筐体（１２０）内部のモジュールに設置する実施例を示す模式図である。
【図３５】図３４の側面模式図を示す。
【図３６】は本発明の多入出力導電インターフェースは巻式構造である実施例を示す電極板展開図である。
【図３７】図３６のＡ−Ａ側断面図を示す。
【図３８】図３６のＢ−Ｂ側断面図を示す。
【図３９】本発明図３６巻式構造の実施例のＣ−Ｃ断面模式図の一を示す。
【図４０】本発明図３６巻式構造の実施例のＣ−Ｃ断面模式図の二を示す。
【図４１】本発明図３６巻式構造の実施例のＣ−Ｃ断面模式図の三を示す。
【図４２】本発明において、四辺形のシート状側面正極導電体（１０９）及び側面負極導電体（１１０）により多入出力導電インターフェースを構成する実施例を示す構造模式図である。
【図４３】図４２のＡ−Ａ側断面図を示す。
【図４４】図４２のＢ−Ｂ側断面図を示す。
【図４５】本発明において、縞状シート状を備える側面正極導電体（１０９）及び側面負極導電体（１１０）の電極対の一辺にある正極・負極入出力導電端子により一辺の入出力導電インターフェースを構成する実施例を示す模式図である。
【図４６】本発明において、円形のシート状を備える側面正極導電体（１０９）及び側面負極導電体（１１０）の電極対の一辺にある正極・負極入出力導電端子により一辺の入出力導電インターフェースを構成する実施例を示す構造模式図である。
【図４７】本発明において、四辺形のシート状側面正極導電体（１０９）を備え、及び側面負極導電体（１１０）の電極対の片側を正極入出力導電端子とし、他側を負極入出力導電端子とすることによって、一辺の入出力導電インターフェースを構成する実施例を示す構造模式図である。
【図４８】図４７のＡ−Ａ側断面図を示す。
【図４９】図４７のＢ−Ｂ側断面図を示す。
【図５０】本発明において、縞状シート状側面正極導電体（１０９）を備え、及び側面負極導電体（１１０）の電極対の片側を正極入出力導電端子とし、他側を負極入出力導電端子とすることによって、一辺の入出力導電インターフェースを構成する実施例を示す構造模式図である。
【図５１】本発明において、円形のシート状側面正極導電体（１０９）を備え、及び側面負極導電体（１１０）の電極対の片側を正極入出力導電端子とし、他側を負極入出力導電端子とすることによって、一辺の入出力導電インターフェースを構成する実施例を示す構造模式図である。
【図５２】本発明において、充放電セルに筐体（１２０）内部のモジュールを設置する実施例を示す構造模式図である。
【図５３】図５２の側面模式図を示す。
【図５４】本発明において、電極板対に中の一辺の入出力導電端子及び側面正極導電体（１０９）、側面負極導電体（１１０）を単層絶縁密封し、また中の一辺の入出力導電端子を一辺の入出力導電インターフェースの巻式構造とする実施例の電極板展開図を示す。
【図５５】図５４のＡ−Ａ側断面図を示す。
【図５６】図５４のＢ−Ｂ側断面図を示す。
【図５７】図５４巻式構造の実施例のＣ−Ｃ断面模式図の一を示す。
【図５８】図５４巻式構造の実施例のＣ−Ｃ断面模式図の二を示す。
【図５９】本発明において、電極板対両辺の入出力導電端子を単層絶縁密封し、また側面正極導電体（１０９）及び側面負極導電体（１１０）により一辺の入出力導電インターフェースの巻式構造を構成する実施例を示す電極板展開図である。
【図６０】図５９のＡ−Ａ側断面図を示す。
【図６１】図５９のＢ−Ｂ側断面図を示す。
【図６２】図５９の巻式構造の実施例のＣ−Ｃ断面模式図を示す。
【図６３】本発明において、四辺形のシート状側面正極導電体（１０９）、側面負極導電体（１１０）の絶縁パッケージ封止体を備える多辺形導電端子付き電極板対充放電装置を設置する構造模式図を示す。
【図６４】図６３のＡ−Ａ側断面図を示す。
【図６５】図６３のＢ−Ｂ側断面図を示す。
【図６６】本発明において、縞状シート状側面正極導電体（１０９）、側面負極導電体（１１０）の絶縁パッケージ封止体を備える多辺形導電端子付き電極板対充放電装置を設けた構造模式図である。
【図６７】本発明において、円形のシート状側面正極導電体（１０９）、側面負極導電体（１１０）の絶縁パッケージ封止体を備える多辺形導電端子付き電極板対充放電装置を設けた構造模式図を示す。
【図６８】図６３の正電極板（１０１）の一辺は一体的に延伸する電気エネルギー入出力導電端子（１０１２）及び側面正極導電体（１０９）を備え、更に電気エネルギー入出力導電端子（１０１１）と結合し、及び負電極板（１０２）の一辺は一体的に延伸する電気エネルギー入出力導電端子（１０２２）及び側面負極導電体（１１０）を備え、更に負電極板（１０２）と結合する構造模式図を示す。
【図６９】図６８のＡ−Ａ側断面図を示す。
【図７０】図６８のＢ−Ｂ側断面図を示す。
【図７１】図６６の正電極板（１０１）の一辺は一体的に延伸する電気エネルギー入出力導電端子（１０１２）及び側面正極導電体（１０９）を備え、更に電気エネルギー入出力導電端子（１０１１）と結合し、及び負電極板（１０２）の一辺は一体的に延伸する電気エネルギー入出力導電端子（１０２２）及び側面負極導電体（１１０）を備え、更に負電極板（１０２）と結合する構造模式図を示す。
【図７２】図６７の正電極板（１０１）の一辺は一体的に延伸する電気エネルギー入出力導電端子（１０１２）及び側面正極導電体（１０９）を備え、更に電気エネルギー入出力導電端子（１０１１）と結合し、及び負電極板（１０２）の一辺は一体的に延伸する電気エネルギー入出力導電端子（１０２２）及び側面負極導電体（１１０）を備え、更に負電極板（１０２）と結合する構造模式図を示す。
【図７３】図６３の絶縁パッケージ封止体を備える多辺形導電端子付き電極板対充放電装置両側の側面正極導電体（１０９）、側面負極導電体（１１０）は、両側外層補助絶縁パッケージ封止体（１０６）の開口（１０６０）を経て、入出力導電インターフェースになる構造模式図を示す。
【図７４】図７３のＡ−Ａ側断面図を示す。
【図７５】図７３のＢ−Ｂ側断面図を示す。
【図７６】に図６６の絶縁パッケージ封止体を備える多辺形導電端子付き電極板対充放電装置両側の側面正極導電体（１０９）、側面負極導電体（１１０）は、両側外層補助絶縁パッケージ封止体（１０６）の開口（１０６０）を経て、入出力導電インターフェースになる構造模式図を示す。
【図７７】図６７の絶縁パッケージ封止体を備える多辺形導電端子付き電極板対充放電装置両側の側面正極導電体（１０９）、側面負極導電体（１１０）は、両側外層補助絶縁パッケージ封止体（１０６）の開口（１０６０）を経て、入出力導電インターフェースになる構造模式図を示す。
【図７８】図６３の絶縁パッケージ封止体を備える多辺形導電端子付き電極板対充放電装置両側の側面正極導電体（１０９）に側面正極補助用導電体（１０９１）を設置し、側面負極導電体（１１０）に側面負極補助用導電体（１１０１）を設置し、両側外層補助絶縁パッケージ封止体（１０６）の開口（１０６０）を経て、入出力導電インターフェースになる構造模式図を示す。
【図７９】図７８のＡ−Ａ側断面図を示す。
【図８０】図７８のＢ−Ｂ側断面図を示す。
【図８１】図６６の絶縁パッケージ封止体を備える多辺形導電端子付き電極板対充放電装置両側の側面正極導電体（１０９）に側面正極補助用導電体（１０９１）を設置し、側面負極導電体（１１０）に側面負極補助用導電体（１１０１）を設置し、両側外層補助絶縁パッケージ封止体（１０６）の開口（１０６０）を経て、入出力導電インターフェースになる構造模式図を示す。
【図８２】図６７の絶縁パッケージ封止体を備える多辺形導電端子付き電極板対充放電装置両側の側面正極導電体（１０９）に側面正極補助用導電体（１０９１）を設置し、側面負極導電体（１１０）に側面負極補助用導電体（１１０１）を設置し、両側外層補助絶縁パッケージ封止体（１０６）の開口（１０６０）を経て、入出力導電インターフェースになる構造模式図を示す。
【図８３】図６３の絶縁パッケージ封止体を備える多辺形導電端子付き電極板対充放電装置両側の側面正極導電体（１０９）の中間部に外部に向かって突出する構造を作り、側面負極導電体（１１０）の中間部に外部に向かって突出する構造を作り、両側外層補助絶縁パッケージ封止体（１０６）の開口（１０６０）を経て、入出力導電インターフェースになる構造模式図を示す。
【図８４】図８３のＡ−Ａ側断面図を示す。
【図８５】図８３のＢ−Ｂ側断面図を示す。
【図８６】図６６の絶縁パッケージ封止体を備える多辺形導電端子付き電極板対充放電装置両側の側面正極導電体（１０９）の中間部に外部に向かって突出する構造を作り、側面負極導電体（１１０）の中間部に外部に向かって突出する構造を作り、両側外層補助絶縁パッケージ封止体（１０６）の開口（１０６０）を経て、入出力導電インターフェースになる構造模式図を示す。
【図８７】図６７の絶縁パッケージ封止体を備える多辺形導電端子付き電極板対充放電装置両側の側面正極導電体（１０９）の中間部に外部に向かって突出する構造を作り、側面負極導電体（１１０）の中間部に外部に向かって突出する構造を作り、両側外層補助絶縁パッケージ封止体（１０６）の開口（１０６０）を経て、入出力導電インターフェースになる構造模式図を示す。
【図８８】本発明において、充放電セルに筐体（１２０）内部のモジュールを設置する実施例を示す構造模式図である。
【図８９】図８８の構造側面模式図を示す。
【図９０】本発明において、電極板対の一辺の入出力導電端子、側面正極導電体（１０９）、及び側面負極導電体（１１０）の多層絶縁パッケージ封止体を密封し、また中の一辺の入出力導電端子を一辺の入出力導電インターフェースの巻式構造とする実施例を示す電極板展開図である。
【図９１】図９０のＡ−Ａ側断面図を示す。
【図９２】図９０のＢ−Ｂ側断面図を示す。
【図９３】本発明において、図９０巻式構造の実施例のＣ−Ｃ断面模式図の一を示す。
【図９４】本発明において、図９０巻式構造の実施例のＣ−Ｃ断面模式図の二を示す。
【図９５】本発明において、図９０巻式構造の実施例のＣ−Ｃ断面模式図の三を示す。
【図９６】本発明において、B多辺形入出力端子付き電極板対を備える特定一辺の入出力多層封止構造を応用例とし、正電極板（１０１）と負電極板（１０２）の両方、又はいずれか一方の数を増やす実施例模式図を示す。
【図９７】図９６のＡ−Ａ側断面図を示す。
【図９８】図９６のＢ−Ｂ側断面図を示す。
【図９９】図９６の正電極板（１０１）と負電極板（１０２）の両方、又はいずれか一方の一部の電極板の厚さが違う実施例一のＡ−Ａ側断面図を示す。
【図１００】図９６の正電極板（１０１）と負電極板（１０２）の両方、又はいずれか一方の一部の電極板の厚さが違う実施例一のＢ−Ｂ側断面図を示す。
【図１０１】図９６の正電極板（１０１）と負電極板（１０２）の両方、又はいずれか一方の一部の電極板の厚さが違う実施例二のＡ−Ａ側断面図を示す。
【図１０２】図９６の正電極板（１０１）と負電極板（１０２）の両方、又はいずれか一方の一部の電極板の厚さが違う実施例二のＢ−Ｂ側断面図を示す。
【図１０３】本発明において、多辺形入出力端子付き電極板対を備える特定一辺の入出力多層封止構造を応用例とし、正電極板（１０１）と負電極板（１０２）の両方、又はいずれか一方の両辺に別々に２個の電気エネルギー入出力導電端子を設置する実施例を示す模式図である。
【発明を実施するための形態】
【０００７】
電極板は、一次電池、充放電可能な二次電池、コンデンサ、又はスパーコンデンサ及び電気エネルギーを出力する燃料電池の基礎部材の構造であり、組成は通常各種の幾何学的形状の電極板により構成され、また少なくとも１つの正電極板と少なくとも１つの負電極板が同じ枚数又は違う枚数により構成した電極板対を通して、１個の充放電セルを構成し、少なくとも２個の充放電セルを同極性に並列接続し、順極性に直列接続し、先ず直列接続してから更に並列接続し、又は先ず並列接続更に直列接続することによって、各種の応用ニーズに応えるモジュールを構成する。
【０００８】
周知のとおり、従来の上述した一次電池又は充放電可能な二次電池又はコンデンサ又はスパーコンデンサ及び電気エネルギーを出力する燃料電池の電極板に応用されているのは、主に四辺形、円形又はニーズによって選んだ幾何学的形状であり、また従来の多辺形導電端子付き電極板対を備える充放電装置は、槽状構造を有する筐体に電極板対を入れ込み、更に筐体と筐体端を密閉溶接又は接着させ、また多辺形導電端子付き電極板対を備える導電端子は、筐体又は筐体端の貫通孔を貫通して外部に向かって延伸し、更に貫通孔に密閉封止材を充填することによって、密閉封止構造を構成する。製造過程は煩雑で、また密閉箇所の品質管理は困難であるために、長時間使用すると密閉構造が劣化する。
【０００９】
本発明は、絶縁パッケージ封止体を備える多辺形導電端子付き電極板対充放電装置の一種を開示し、絶縁封止材料で多辺形導電端子を備える電極板対及び少なくとも両辺から延伸し、外部に対して電気エネルギー入出力導電端子の近隣で連接する電極板部に密閉封止し、二者を同時に密封することにより、絶縁パッケージ封止体を備える全密閉型充放電可能な装置、例えばリン酸鉄リチウム電池、リチウムニッケルマンガン・コバルト電池、リチウムイオンポリマー電池等のリチウムイオン電池、又はスパーコンデンサを形成し、また電極板対は少なくとも両辺の導電端子により構成される導電インターフェースを経て、外部に対して電気エネルギーを入出力する。２個又はそれ以上の絶縁パッケージ封止体を備える充放電装置を直列接続、並列接続、先ず直列接続してから更に並列接続させ、又は先ず並列接続してから更に直列接続させる充放電装置モジュールによって各種の応用ニーズに応え、上述の絶縁パッケージ封止体を備える充放電装置は直接使用可能であり、絶縁パッケージ封止体を備える多辺形導電端子付き電極板対の外部に更に保護用筐体を封止することができる。
【００１０】
正電極板を例（負電極板も同じだから省略）として以下に説明する。
図１に従来の一辺の電気エネルギー伝送端子付き電極板の構成模式図を示す。
図１に四辺形正電極板を例として、主な構成は四辺形電極板の中の一辺に外部に向かって延伸し、電気エネルギー入出力導電端子を設置することを示す。
図２に従来の一辺の電気エネルギー伝送端子付き電極板対により構成する充放電装置セルの構造模式図を示す。
図３に図２の側面断面図を示す。
【００１１】
図２及び図３に主な構成は一辺の電気エネルギー入出力導電端子（１０１１）を備える四辺形正電極板（１０１）と一辺の電気エネルギー入出力導電端子（１０２１）を備える負電極板（１０２）であり、正負両電極板の間にセパレータを挟んで設置し、電解液又は電解質注入後、直接又は外部にセパレータを挟んで設置し、更に絶縁パッケージ封止体（１０５）に入れ込む。た電気エネルギー入出力導電端子（１０１１）、（１０１２）は絶縁パッケージ封止体（１０５）の他辺から密封区（１０５１）を経て外部に向かって延伸することを示す。
図４に従来の多辺形電気エネルギー伝送端子付き電極板の例の一を示す。
【００１２】
図４に主な構成は四辺形正電極板（１０１）の向かい合う両辺の付近い辺側は、１個の電気エネルギー入出力導電端子（１０１１）、（１０１２）を備えることを示す。
図５に従来の多辺形電気エネルギー伝送端子付き電極板の例の二を示す。
【００１３】
図５に主な構成は四辺形を囲む正電極板（１０１）の向かい合う両辺は、２個の電気エネルギー入出力導電端子（１０１１）、（１０１１’）及び電気エネルギー入出力導電端子（１０１２）、（１０１２’）を備え、また第１辺の電気エネルギー入出力導電端子（１０１１）、（１０１１’）と対辺の電気エネルギー入出力導電端子（１０１２）、（１０１２’）は交差することを示す。
図６に従来の多辺形電気エネルギー伝送端子付き電極板の例の三を示す。
【００１４】
図６に主な構成は四辺形正電極板（１０１）の四辺の辺側は別々に１個の電気エネルギー入出力導電端子（１０１１）、（１０１２）、（１０１３）、（１０１４）を備え、また２組の対辺の電気エネルギー入出力導電端子は交差することを示す。
図７に従来の多辺形電気エネルギー伝送端子付き電極板の例の四を示す。
【００１５】
図７に主な構成は四辺形正電極板（１０１）の第１辺は、２個の電気エネルギー入出力導電端子（１０１１）、（１０１１’）を備え、第２辺は電気エネルギー入出力導電端子（１０１２）、（１０１２’）を備え、第３辺は電気エネルギー入出力導電端子（１０１３）、（１０１３’）を備え、第４辺は電気エネルギー入出力導電端子（１０１４）、（１０１４’）を備え、また２組の対辺の電気エネルギー入出力導電端子は交差することを示す。
図８に従来の円形電気エネルギー伝送端子付き電極板の例を示す。
【００１６】
図８に主な構成は円形を呈す電極板の周辺から外部に向かって放射状に電気エネルギー入出力導電端子（１０１１）、（１０１２）、（１０１３）、（１０１４）を設置することを示す。
【００１７】
上述の電極板の幾何学的形状は例を挙げて説明するが、本発明を限定するものではない。本発明の電極板の形状はニーズによって、他の幾何学的形状を選ぶことができる。
【００１８】
本発明は、絶縁パッケージ封止体を備える多辺形導電端子付き電極板対充放電装置の一種を開示し、絶縁封止材料で多辺形導電端子を備える電極板対及び少なくとも両辺から延伸し、外部に対して電気エネルギー入出力導電端子の近隣で連接する電極板部に密閉封止し、二者を同時に密封することにより、絶縁パッケージ封止体を備える全密閉型充放電可能な装置、例えばリン酸鉄リチウム電池、リチウムニッケルマンガン・コバルト電池、リチウムイオンポリマー電池等のリチウムイオン電池、又はスパーコンデンサを形成し、また電極板対は少なくとも両辺の導電端子により構成される導電インターフェースを経て、外部に対して電気エネルギーを入出力する。２個又はそれ以上の絶縁パッケージ封止体を備える充放電装置を直列接続、並列接続、先ず直列接続してから更に並列接続させ、又は先ず並列接続してから更に直列接続させる充放電装置モジュールによって各種の応用ニーズに応え、上述の絶縁パッケージ封止体を備える充放電装置は直接使用可能であり、絶縁パッケージ封止体を備える多辺形導電端子付き電極板対の外部に更に保護用筐体を封止することができる。
本発明の各種応用構造は以下の通りである。
【００１９】
（一）単層の絶縁パッケージ封止体を多辺形導電端子付き電極板対に封止することによって、充放電装置を構成する応用例である。また多辺形導電端子付き電極板対は、正負極性入出力導電端子を経て、入出力導電インターフェースを構成し、外部に対して電気エネルギーを伝送し、電極板の形状はニーズによって種類多すぎるために、一般的な四辺形電極板を代表例として以下に説明する。
【００２０】
図９は、電極対の一辺にある正極・負極入出力導電端子、両側の四辺形のシート状側面正極導電体（１０９）、及び側面負極導電体（１１０）により多入出力導電インターフェースを構成する実施例を示す模式図である。
図１０は図９のＡ−Ａ側断面図を示す。
図１１は図９のＢ−Ｂ側断面図を示す。
図９、図１０及び図１１の主な構成は下記を含む。
【００２１】
正電極板（１０１）は、１枚又はそれ以上の板状又は薄いシート状四辺形正電極板により構成される。正電極板の向かい合う辺は、別々に少なくとも１個の電気エネルギー入出力導電端子を備え、正電極板表面に電気化学物質を塗布する。
【００２２】
負電極板（１０２）は、１枚又はそれ以上の板状又は薄いシート状四辺形負電極板により構成される。負電極板の向かい合う辺は、別々に少なくとも１個の電気エネルギー入出力導電端子を備え、負電極板表面に電気化学物質を塗布する。
【００２３】
セパレータ（１０４）は、微孔性及び多孔性を備える薄膜であり、材質は主にＰＰ、ＰＥで、正負電極板の間に設置し、主な機能は正負電極を隔離したり、また自己放電及び両極の短絡を防いだりすることによって、異極性電極板の間及びニーズによって電極板の側辺に設置する。
【００２４】
四辺形電極板の向かい合う辺に個別に外側に向かって延伸する１個又はそれ以上電気エネルギーを伝送する入出力端子を備え、また１枚又はそれ以上の正電極板と同じ数又は違う数の１枚又はそれ以上の負電極板の間にセパレータを挟んで設置し、また異極性電極板が交差して重なり合うことによって電極対を構成し、複数個の同極性電極板を備えるとき、各同極性電極板の同辺で電気エネルギーを伝送する同極性入出力端子間で電気的に並列接続する。
【００２５】
絶縁パッケージ封止体（１０５）は、各種の絶縁性を持つ硬質又は軟質封止材、例えば包装用アルミ箔製品を含む。絶縁パッケージ封止体（１０５）の周辺を封鎖して中空リング状にし、両端の開口部にセパレータ（１０４）の正電極板（１０１）と負電極板（１０２）を挟んで設置し、絶縁パッケージ封止体（１０５）の１つの開口端に電気エネルギー入出力導電端子（１０１１）と電気エネルギー入出力導電端子（１０２１）を露出させ、また絶縁パッケージ封止体（１０５）を加工して密封区（１０５１）にすることによって、電気エネルギー入出力導電端子（１０１１）と電気エネルギー入出力導電端子（１０２１）の電極板部付近を封鎖し、また電気エネルギー入出力導電端子（１０１１）と電気エネルギー入出力導電端子（１０２１）末端部を同側に露出させ、絶縁パッケージ封止体（１０５）に電解液又は電解質を注入し、別の開口端に電気エネルギー入出力導電端子（１０１２）と電気エネルギー入出力導電端子（１０２２）を露出させ、及び絶縁パッケージ封止体（１０５）を加工して密封区（１０５２）にすることによって、電気エネルギー入出力導電端子（１０１２）と電気エネルギー入出力導電端子（１０２２）の電極板部付近を封鎖し、また電気エネルギー入出力導電端子（１０１２）と電気エネルギー入出力導電端子（１０２２）末端部を露出させ、かつ絶縁パッケージ封止体（１０５）の密封区（１０５２）外部に沿って内部に向かって曲げることによって、別々に側面正極導電体（１０９）及び側面負極導電体（１１０）に連結し、中の電気エネルギー入出力導電端子（１０１２）は側面正極導電体（１０９）の一端と電気的に結合し、側面正極導電体（１０９）の他端は電気エネルギー入出力導電端子（１０１１）と電気的に結合し、また正極性電気的に並列接続する。電気エネルギー入出力導電端子（１０２２）は側面負極導電体（１１０）の一端と電気的に結合し、側面負極導電体（１１０）の他端は電気エネルギー入出力導電端子（１０２１）と電気的に結合し、また負極性電気的に並列接続することによって、１つの充放電セルを構成する。
側面正極導電体（１０９）は導電材料により構成され、絶縁パッケージ封止体（１０５）の片側に貼付ける。
側面負極導電体（１１０）は導電材料により構成され、絶縁パッケージ封止体（１０５）の他側に貼付ける。
【００２６】
上述の側面正極導電体（１０９）及び側面負極導電体（１１０）は、四辺形のシート状、縞状シート状、又は円形のシート状導電体により構成されることを含む。上下両端に別々に導電性ストリップが延伸し、また側面正極導電体（１０９）の上下端から別々に導電性ストリップが延伸し、更に別々に正極性の電気エネルギー入出力導電端子（１０１１）、電気エネルギー入出力導電端子（１０１２）と電気的に結合し、及び側面負極導電体（１１０）上下端から別々に導電性ストリップが延伸し、更に別々に負極性の電気エネルギー入出力導電端子（１０２１）、電気エネルギー入出力導電端子（１０２２）と電気的に結合する。
【００２７】
図１２は電極対の一辺にある正極・負極入出力導電端子、両側の縞状シート状側面正極導電体（１０９）、及び側面負極導電体（１１０）により多入出力導電インターフェースを構成する実施例を示す模式図である。
図１２のＡ−Ａ側断面図は図１０と同じである。
図１２のＢ−Ｂ側断面図は図１１と同じである。
【００２８】
図１２、図１０及び図１１に電極対の一辺にある正極・負極入出力導電端子、両側の縞状シート状側面正極導電体（１０９）、及び側面負極導電体（１１０）により多入出力導電インターフェースを構成することを示す。
【００２９】
図１３は電極対の一辺にある正極・負極入出力導電端子、両側の縞状シート状側面正極導電体（１０９）、及び側面負極導電体（１１０）により多入出力導電インターフェースを構成する実施例を示す模式図である。
図１３のＡ−Ａ側断面図は図１０と同じである。
図１３のＢ−Ｂ側断面図は図１１と同じである。
【００３０】
図１３、図１０及び図１１に電極対の一辺にある正極・負極入出力導電端子、両側の円形のシート状側面正極導電体（１０９）、及び側面負極導電体（１１０）により多入出力導電インターフェースを構成することを示す。
【００３１】
図１４は正電極板（１０１）と側面正極導電体（１０９）、負電極板（１０２）と側面負極導電体（１１０）の一体化により構成され、また電極対の一辺に正極・負極入出力導電端子を設置し、及び両側の四辺形のシート状側面正極導電体（１０９）、側面負極導電体（１１０）により多入出力導電インターフェースを構成する実施例を示す模式図である。
図１５は図１４のＡ−Ａ側断面図を示す。
図１６は図１４のＢ−Ｂ側断面図を示す。
【００３２】
図１４、図１５及び図１６に正電極板（１０１）と側面正極導電体（１０９）、負電極板（１０２）と側面負極導電体（１１０）の一体化により構成され、また電極対の一辺に正極・負極入出力導電端子を設置し、及び両側の四辺形のシート状側面正極導電体（１０９）、側面負極導電体（１１０）により多入出力導電インターフェースを構成することを示す。
【００３３】
図１７は正電極板（１０１）と側面正極導電体（１０９）、負電極板（１０２）と側面負極導電体（１１０）の一体化により構成され、また電極対の一辺に正極・負極入出力導電端子を設置し、及び両側の縞状シート状側面正極導電体（１０９）、側面負極導電体（１１０）により多入出力導電インターフェースを構成する実施例を示す模式図である。
図１７のＡ−Ａ側断面図は図１５と同じである。
図１７のＢ−Ｂ側断面図は図１６と同じである。
【００３４】
図１７、図１５及び図１６に正電極板（１０１）と側面正極導電体（１０９）、負電極板（１０２）と側面負極導電体（１１０）の一体化により構成され、また電極対の一辺に正極・負極入出力導電端子を設置し、及び両側の縞状シート状側面正極導電体（１０９）、側面負極導電体（１１０）により多入出力導電インターフェースを構成することを示す。
【００３５】
図１８は正電極板（１０１）と側面正極導電体（１０９）、負電極板（１０２）と側面負極導電体（１１０）の一体化により構成され、また電極対の一辺に正極・負極入出力導電端子を設置し、及び両側の円形のシート状側面正極導電体（１０９）、側面負極導電体（１１０）により多入出力導電インターフェースを構成する実施例を示す模式図である。
図１８のＡ−Ａ側断面図は図１５と同じである。
図１８のＢ−Ｂ側断面図は図１６と同じである。
【００３６】
図１８、図１５及び図１６に正電極板（１０１）と側面正極導電体（１０９）、負電極板（１０２）と側面負極導電体（１１０）の一体化により構成され、また電極対の一辺に正極・負極入出力導電端子を設置し、及び両側の円形のシート状側面正極導電体（１０９）、側面負極導電体（１１０）により多入出力導電インターフェースを構成することを示す。
【００３７】
図１９は正電極板（１０１）と側面正極導電体（１０９）、負電極板（１０２）と側面負極導電体（１１０）の一体化により構成され、また電極対の両辺に少なくとも１個の正極入出力導電端子を設置し、及び少なくとも１個の正極・負極入出力導電端子と両側の四辺形のシート状側面正極導電体（１０９）、側面負極導電体（１１０）により多入出力導電インターフェースを構成する実施例を示す模式図である。
図２０は図１９のＡ−Ａ側断面図を示す。
図２１は図１９のＢ−Ｂ側断面図を示す。
【００３８】
図１９、図２０及び図２１に正電極板（１０１）と側面正極導電体（１０９）、負電極板（１０２）と側面負極導電体（１１０）の一体化により構成され、また電極対の両辺に少なくとも１個の正極入出力導電端子を設置し、及び少なくとも１個の正極・負極入出力導電端子と両側の四辺形のシート状側面正極導電体（１０９）、側面負極導電体（１１０）により多入出力導電インターフェースを構成することを示す。
【００３９】
図２２は正電極板（１０１）と側面正極導電体（１０９）、負電極板（１０２）と側面負極導電体（１１０）の一体化により構成され、また電極対の両辺に少なくとも１個の正極入出力導電端子を設置し、及び少なくとも１個の正極・負極入出力導電端子と両側の縞状シート状側面正極導電体（１０９）、側面負極導電体（１１０）により多入出力導電インターフェースを構成する実施例を示す模式図である。
図２２のＡ−Ａ側断面図は図２０と同じである。
図２２のＢ−Ｂ側断面図は図２１と同じである。
【００４０】
図２２、図２０及び図２１に正電極板（１０１）と側面正極導電体（１０９）、負電極板（１０２）と側面負極導電体（１１０）の一体化により構成され、また電極対の両辺に少なくとも１個の正極入出力導電端子を設置し、及び少なくとも１個の正極・負極入出力導電端子と両側の縞状シート状側面正極導電体（１０９）、側面負極導電体（１１０）により多入出力導電インターフェースを構成することを示す。
【００４１】
図２３は正電極板（１０１）と側面正極導電体（１０９）、負電極板（１０２）と側面負極導電体（１１０）の一体化により構成され、また電極対の両辺に少なくとも１個の正極入出力導電端子を設置し、及び少なくとも１個の正極・負極入出力導電端子と両側の円形のシート状側面正極導電体（１０９）、側面負極導電体（１１０）により多入出力導電インターフェースを構成する実施例を示す模式図である。
図２３のＡ−Ａ側断面図は図２０と同じである。
図２３のＢ−Ｂ側断面図は図２１と同じである。
【００４２】
図２３、図２０及び図２１に正電極板（１０１）と側面正極導電体（１０９）、負電極板（１０２）と側面負極導電体（１１０）の一体化により構成され、また電極対の両辺に少なくとも１個の正極入出力導電端子を設置し、及び少なくとも１個の正極・負極入出力導電端子と両側の円形のシート状側面正極導電体（１０９）、側面負極導電体（１１０）により多入出力導電インターフェースを構成することを示す。
【００４３】
図２４は電極対の両辺に折り返す構造を設置することによって正極・負極入出力導電端子を構成し、及び両側の四辺形のシート状側面正極導電体（１０９）、側面負極導電体（１１０）により多入出力導電インターフェースを構成する実施例を示す模式図である。
図２５は図２４のＡ−Ａ側断面図を示す。
図２６は図２４のＢ−Ｂ側断面図を示す。
【００４４】
図２４、図２５及び図２６に電極対の両辺に折り返す構造を設置することによって正極・負極入出力導電端子を構成し、及び両側の四辺形のシート状側面正極導電体（１０９）、側面負極導電体（１１０）により多入出力導電インターフェースを構成することを示す。
【００４５】
図２７は電極対の両辺に折り返す構造を設置することによって正極・負極入出力導電端子を構成し、及び両側の縞状シート状側面正極導電体（１０９）、側面負極導電体（１１０）により多入出力導電インターフェースを構成する実施例を示す模式図である。
図２７のＡ−Ａ側断面図は図２５と同じである。
図２７のＢ−Ｂ側断面図は図２６と同じである。
【００４６】
図２７、２５及び図２６に電極対の両辺に折り返す構造を設置することによって正極・負極入出力導電端子を構成し、及び両側の縞状シート状側面正極導電体（１０９）、側面負極導電体（１１０）により多入出力導電インターフェースを構成することを示す。
【００４７】
図２８は電極対の両辺に折り返す構造を設置することによって正極・負極入出力導電端子を構成し、及び両側の円形のシート状側面正極導電体（１０９）、側面負極導電体（１１０）により多入出力導電インターフェースを構成する実施例を示す模式図である。
図２８のＡ−Ａ側断面図は図２５と同じである。
図２８のＢ−Ｂ側断面図は図２６と同じである。
【００４８】
図２８、図２５及び図２６に電極対の両辺に折り返す構造を設置することによって正極・負極入出力導電端子を構成し、及び両側の円形のシート状側面正極導電体（１０９）、側面負極導電体（１１０）により多入出力導電インターフェースを構成することを示す。
【００４９】
図２９は電極対同側の両辺に異極性入出力導電端子を１個ずつ設置し、及び電極対両側の四辺形のシート状側面正極導電体（１０９）、側面負極導電体（１１０）により多入出力導電インターフェースを構成する実施例を示す模式図である。
図３０は図２９のＡ−Ａ側断面図を示す。
図３１は図２９のＢ−Ｂ側断面図を示す。
【００５０】
図２９、図３０及び図３１に電極対同側の両辺に異極性入出力導電端子を１個ずつ設置し、及び電極対両側の四辺形のシート状側面正極導電体（１０９）、側面負極導電体（１１０）により多入出力導電インターフェースを構成することを示す。
【００５１】
図３２は電極対同側の両辺に異極性入出力導電端子を１個ずつ設置し、及び電極対両側の縞状シート状側面正極導電体（１０９）、側面負極導電体（１１０）により多入出力導電インターフェースを構成する実施例を示す模式図である。
図３２のＡ−Ａ側断面図は図３０と同じである。
図３２のＢ−Ｂ側断面図は図３１と同じである。
【００５２】
図３２、図３０及び図３１に電極対同側の両辺に異極性入出力導電端子を１個ずつ設置し、及び電極対両側の縞状シート状側面正極導電体（１０９）、側面負極導電体（１１０）により多入出力導電インターフェースを構成することを示す。
【００５３】
図３３は電極対同側の両辺に異極性入出力導電端子を１個ずつ設置し、及び電極対両側の円形のシート状側面正極導電体（１０９）、側面負極導電体（１１０）により多入出力導電インターフェースを構成する実施例を示す模式図である。
図３３のＡ−Ａ側断面図は図３０と同じである。
図３３のＢ−Ｂ側断面図は図３１と同じである。
【００５４】
図３３、図３０及び図３１に電極対同側の両辺に異極性入出力導電端子を１個ずつ設置し、及び電極対両側の円形のシート状側面正極導電体（１０９）、側面負極導電体（１１０）により多入出力導電インターフェースを構成することを示す。
【００５５】
絶縁パッケージ封止体を備える多辺形導電端子付き電極板対充放電装置両側の側面正極導電体（１０９）、側面負極導電体（１１０）入出力導電インターフェースの構造として使うことによって、単独使用、直列接続、並列接続、又は直並列接続へ応用する。構成方式は以下の通りである。
【００５６】
中の片側面正極導電体（１０９）及び対側面負極導電体（１１０）の露出導電面により直接入出力導電インターフェースを構成することによって、単独使用、直列接続、並列接続、又は直並列接続へ応用する。
【００５７】
側面正極導電体（１０９）の露出面に側面正極補助用導電体（１０９１）を設置し、側面負極導電体（１１０）の露出面に側面負極補助用導電体（１１０１）を設置し、入出力導電インターフェースを構成することによって、単独使用又は直列接続、並列接続、直並列接続へ応用する。
【００５８】
側面正極導電体（１０９）の中間部に１箇所又はそれ以上の外部に向かって突出する構造を作り、及び側面負極導電体（１１０）の中間部に１箇所又はそれ以上の外部に向かって突出する構造を作り、入出力導電インターフェースを構成することによって、単独使用又は直列接続、並列接続、直並列接続へ応用する。
【００５９】
上述の複数個の充放電セルにより構成するとき、分散してから更に導電体によって連結させ、上記は中の１個又はそれ以上の充放電セルを１個又はそれ以上の筐体内部に入れ込み、集中してモジュール構造になり、導電体又は各充放電装置の入出力導電インターフェースにより連結させることによって、電気エネルギーを伝送することを含む。
図３４は本発明の充放電セルを筐体（１２０）内部のモジュールに設置する実施例を示す模式図である。
図３５は図３４の側面模式図を示す。
図３４、図３５に筐体（１２０）内部に１個又はそれ以上の充放電セルを入れ込むことを示す。中の：
筐体（１２０）は、柔軟性（可撓性）又は硬質材料、例えばステンレスにより構成される。
本実施例の絶縁パッケージ封止体を備える多辺形導電端子付き電極板対充放電装置を巻式構造にすることができる。以下に説明する。
図３６は本発明の多入出力導電インターフェースは巻式構造である実施例を示す電極板展開図である。
図３７は図３６のＡ−Ａ側断面図を示す。
図３８は図３６のＢ−Ｂ側断面図を示す。
【００６０】
図３６、図３７及び図３８に両辺から延伸する入出力導電端子の正電極板（１０１）、負電極板（１０２）、及びセパレータ（１０４）は巻式構造であり、辺縁部の端子、両側側面正極導電体（１０９）、側面負極導電体（１１０）の全部又は一部により多入出力導電インターフェースを構成することを示す。
図３９は本発明図３６巻式構造の実施例のＣ−Ｃ断面模式図の一を示す。
【００６１】
図３９は少なくとも両側側面正極導電体（１０９）、側面負極導電体（１１０）を含み、及び少なくとも一辺縁の入出力導電端子を分離設置することに合わせて、共同して多入出力導電インターフェースを形成することを示す。
図４０は本発明図３６巻式構造の実施例のＣ−Ｃ断面模式図の二を示す。
【００６２】
図４０は両側の単層絶縁パッケージ封止体（１０５）を絶縁封止し、また両辺の入出力導電端子を隣接設置することに合わせて、多入出力導電インターフェースを形成することを示す。
図４１は本発明図３６巻式構造の実施例のＣ−Ｃ断面模式図の三を示す。
【００６３】
図４１は両側側面正極導電体（１０９）、側面負極導電体（１１０）及び両辺の入出力導電端子に合わせて、多入出力導電インターフェースを形成することを示す。
【００６４】
（二）多辺形導電端子付き電極板対の異辺の導電端子を折り返してから更に並列接続する応用例である。またパッキング封止後の多辺形導電端子付き電極板対が単一正極性及び単一負極性入出力導電端子を経て、入出力導電インターフェースが外部に対して電気エネルギーを伝送し、電極板の形状ニーズによって種類多すぎるために、一般的な四辺形電極板を代表例として以下に説明する。
【００６５】
図４２は四辺形のシート状側面正極導電体（１０９）及び側面負極導電体（１１０）により多入出力導電インターフェースを構成する実施例を示す構造模式図である。
図４３は図４２のＡ−Ａ側断面図を示す。
図４４は図４２のＢ−Ｂ側断面図を示す。
図４２、図４３及び図４４の主な構成は下記を含む。
【００６６】
正電極板（１０１）は、１枚又はそれ以上の板状又は薄いシート状四辺形正電極板により構成される。正電極板の向かい合う辺は、別々に少なくとも１個の電気エネルギー入出力導電端子を備え、正電極板表面に電気化学物質を塗布する。
【００６７】
負電極板（１０２）は、１枚又はそれ以上の板状又は薄いシート状四辺形負電極板により構成される。負電極板の向かい合う辺は、別々に少なくとも１個の電気エネルギー入出力導電端子を備え、負電極板表面に電気化学物質を塗布する。
【００６８】
セパレータ（１０４）は、微孔性及び多孔性を備える薄膜であり、材質は主にＰＰ、ＰＥで、正負電極板の間に設置し、主な機能は正負電極を隔離したり、また自己放電及び両極の短絡を防いだりすることによって、異極性電極板の間及びニーズによって電極板の側辺に設置する。
【００６９】
四辺形電極板の向かい合う辺に個別に外側に向かって延伸する１個又はそれ以上電気エネルギーを伝送する入出力端子を備え、また１枚又はそれ以上の正電極板と同じ数又は違う数の１枚又はそれ以上の負電極板の間にセパレータを挟んで設置し、また異極性電極板が交差して重なり合うことによって電極対を構成し、複数個の同極性電極板を備えるとき、各同極性電極板の同辺で電気エネルギーを伝送する同極性入出力端子間で電気的に並列接続する。
【００７０】
絶縁パッケージ封止体（１０５）は、各種の絶縁性を持つ硬質又は軟質封止材、例えば包装用アルミ箔製品を含む。絶縁パッケージ封止体（１０５）の周辺を封鎖して中空リング状にし、両端の開口部にセパレータ（１０４）の正電極板（１０１）と負電極板（１０２）を挟んで設置し、絶縁パッケージ封止体（１０５）の１つの開口端に電気エネルギー入出力導電端子（１０１１）と電気エネルギー入出力導電端子（１０２１）を露出させ、また絶縁パッケージ封止体（１０５）を加工して密封区（１０５１）にすることによって、電気エネルギー入出力導電端子（１０１１）と電気エネルギー入出力導電端子（１０２１）の電極板部付近を封鎖し、また電気エネルギー入出力導電端子（１０１１）と電気エネルギー入出力導電端子（１０２１）末端部を同側に露出させ、一辺の入出力導電インターフェースを構成する。
【００７１】
絶縁パッケージ封止体（１０５）に電解液又は電解質を注入する。側面正極導電体（１０９）を絶縁パッケージ封止体（１０５）外部の片側に貼付け、また電気エネルギー入出力導電端子（１０１１）と電気エネルギー入出力導電端子（１０１２）の間で電気的に結合し、側面負極導電体（１１０）を絶縁パッケージ封止体（１０５）外部の他側に貼付け、また電気エネルギー入出力導電端子（１０２１）及び電気エネルギー入出力導電端子（１０２２）の間で電気的に結合する。
【００７２】
絶縁パッケージ封止体（１０５）の他端は２枚の折り返しパッケージ封止部（１０５０）を備え、他端の電気エネルギー入出力導電端子（１０１２）、電気エネルギー入出力導電端子（１０２２）、及び絶縁パッケージ封止体（１０５）を加工して密封区（１０５２）にすることにより、電気エネルギー入出力導電端子（１０１２）、電気エネルギー入出力導電端子（１０２２）を封鎖し、更に２枚の折り返しパッケージ封止部（１０５０）は別々に絶縁パッケージ封止体（１０５）の密封区（１０５２）外部の両側に沿って上に向かって折り返しすることによって、別々に側面正極導電体（１０９）及び側面負極導電体（１１０）に密閉封止してから、更に上に向かって延伸し、電気エネルギー入出力導電端子（１０１１）と電気エネルギー入出力導電端子（１０２１）の付近で電極板部を密封区（１０５１）に密封し、中の電気エネルギー入出力導電端子（１０１２）は側面正極導電体（１０９）の一端と電気的に結合し、更に側面正極導電体（１０９）の他端を経て、電気エネルギー入出力導電端子（１０１１）と電気的に結合し、また正極性電気的に並列接続する。
【００７３】
電気エネルギー入出力導電端子（１０２２）は、側面負極導電体（１１０）の一端と電気的に結合し、更に側面負極導電体（１１０）の他端を経て、電気エネルギー入出力導電端子（１０２１）と電気的に結合し、また負極性電気的に並列接続することによって、絶縁パッケージ封止体を備える多辺形導電端子付き電極板対充放電装置を構成する。また露出する電気エネルギー入出力導電端子（１０１１）と電気エネルギー入出力導電端子（１０２１）末端部によって一辺の入出力導電インターフェースを構成する。
側面正極導電体（１０９）は導電材料により構成され、絶縁パッケージ封止体（１０５）の片側に貼付ける。
側面負極導電体（１１０）は導電材料により構成され、絶縁パッケージ封止体（１０５）の他側に貼付ける。
【００７４】
上述の側面正極導電体（１０９）及び側面負極導電体（１１０）は、四辺形のシート状、縞状シート状、又は円形のシート状導電体により構成されることを含む。上下両端に別々に導電性ストリップが延伸し、また側面正極導電体（１０９）の上下端から別々に導電性ストリップが延伸し、更に別々に正極性の電気エネルギー入出力導電端子（１０１１）、電気エネルギー入出力導電端子（１０１２）と電気的に結合し、及び側面負極導電体（１１０）上下端から別々に導電性ストリップが延伸し、更に別々に負極性の電気エネルギー入出力導電端子（１０２１）と電気エネルギー入出力導電端子（１０２２）を電気的に並列接続し、及び側面負極導電体（１１０）上下端から別々に延伸する導電性ストリップと別々に負極性の電気エネルギー入出力導電端子（１０２１）、電気エネルギー入出力導電端子（１０２２）を電気的に並列接続させ、更に電気エネルギー入出力導電端子（１０１１）と電気エネルギー入出力導電端子（１０２１）の露出部により一辺の入出力導電インターフェースを構成する。
【００７５】
図４５は縞状シート状を備える側面正極導電体（１０９）及び側面負極導電体（１１０）の電極対の一辺にある正極・負極入出力導電端子により一辺の入出力導電インターフェースを構成する実施例を示す模式図である。
図４５のＡ−Ａ側断面図は図４３と同じである。
図４５のＢ−Ｂ側断面図は図４４と同じである。
【００７６】
図４５、図４３及び図４４に縞状シート状を備える側面正極導電体（１０９）及び側面負極導電体（１１０）の電極対の一辺にある正極・負極入出力導電端子により一辺の入出力導電インターフェースを構成することを示す。
【００７７】
図４６は円形のシート状を備える側面正極導電体（１０９）及び側面負極導電体（１１０）の電極対の一辺にある正極・負極入出力導電端子により一辺の入出力導電インターフェースを構成する実施例を示す構造模式図である。
図４６のＡ−Ａ側断面図は図４３と同じである。
図４６のＢ−Ｂ側断面図は図４４と同じである。
【００７８】
図４６、図４３及び図４４に円形のシート状を備える側面正極導電体（１０９）及び側面負極導電体（１１０）の電極対の一辺にある正極・負極入出力導電端子により一辺の入出力導電インターフェースを構成することを示す。
【００７９】
絶縁パッケージ封止体を備える多辺形導電端子付き電極板対充放電装置両側の側面正極導電体（１０９）、側面負極導電体（１１０）入出力導電インターフェースの構造として使うことによって、単独使用、直列接続、並列接続、又は直並列接続へ応用する。構成方式は以下の通りである。
【００８０】
中の片側面正極導電体（１０９）及び対側面負極導電体（１１０）の露出導電面により直接入出力導電インターフェースを構成することによって、単独使用、直列接続、並列接続、又は直並列接続へ応用する。
【００８１】
側面正極導電体（１０９）の露出面に側面正極補助用導電体（１０９１）を設置し、側面負極導電体（１１０）の露出面に側面負極補助用導電体（１１０１）を設置し、入出力導電インターフェースを構成することによって、単独使用又は直列接続、並列接続、直並列接続へ応用する。
【００８２】
側面正極導電体（１０９）の中間部に１箇所又はそれ以上の外部に向かって突出する構造を作り、及び側面負極導電体（１１０）の中間部に１箇所又はそれ以上の外部に向かって突出する構造を作り、入出力導電インターフェースを構成することによって、単独使用又は直列接続、並列接続、直並列接続へ応用する。
【００８３】
図４７は四辺形のシート状側面正極導電体（１０９）を備え、及び側面負極導電体（１１０）の電極対の片側を正極入出力導電端子とし、他側を負極入出力導電端子とすることによって、一辺の入出力導電インターフェースを構成する実施例を示す構造模式図である。
図４８は図４７のＡ−Ａ側断面図を示す。
図４９は図４７のＢ−Ｂ側断面図を示す。
【００８４】
図４７、図４８及び図４９に四辺形のシート状側面正極導電体（１０９）を備え、及び側面負極導電体（１１０）の電極対の片側を正極入出力導電端子とし、他側を負極入出力導電端子とすることによって、一辺の入出力導電インターフェースを構成することを示す。
【００８５】
正電極板（１０１）は、１枚又はそれ以上の板状又は薄いシート状四辺形正電極板により構成される。正電極板の向かい合う辺は、別々に少なくとも１個の電気エネルギー入出力導電端子を備え、正電極板表面に電気化学物質を塗布する。
【００８６】
負電極板（１０２）は、１枚又はそれ以上の板状又は薄いシート状四辺形負電極板により構成される。負電極板の向かい合う辺は、別々に少なくとも１個の電気エネルギー入出力導電端子を備え、負電極板表面に電気化学物質を塗布する。
【００８７】
セパレータ（１０４）は、微孔性及び多孔性を備える薄膜であり、材質は主にＰＰ、ＰＥで、正負電極板の間に設置し、主な機能は正負電極を隔離したり、また自己放電及び両極の短絡を防いだりすることによって、異極性電極板の間及びニーズによって電極板の側辺に設置する。
【００８８】
四辺形電極板の向かい合う辺に個別に外側に向かって延伸する１個又はそれ以上電気エネルギーを伝送する入出力端子を備え、また１枚又はそれ以上の正電極板と同じ数又は違う数の１枚又はそれ以上の負電極板の間にセパレータを挟んで設置し、また異極性電極板が交差して重なり合うことによって電極対を構成し、複数個の同極性電極板を備えるとき、各同極性電極板の同辺で電気エネルギーを伝送する同極性入出力端子間で電気的に並列接続する。
【００８９】
絶縁パッケージ封止体（１０５）は、各種の絶縁性を持つ硬質又は軟質封止材、例えば包装用アルミ箔製品を含む。絶縁パッケージ封止体（１０５）の周辺を封鎖して中空リング状にし、両端の開口部辺にセパレータ（１０４）の正電極板（１０１）と負電極板（１０２）を挟んで設置し、絶縁パッケージ封止体（１０５）の末端に折り返しパッケージ封止部（１０５０）を備え、また側面負極導電体（１１０）内側絶縁の絶縁パッケージ封止体（１０５）の上に向かって折り返しパッケージ封止部（１０５０）、側面正極導電体（１０９）内側絶縁の絶縁パッケージ封止体（１０５）の上に向かって延伸部を加工して密封区（１０５１）にすることによって、電気エネルギー入出力導電端子（１０１１）と側面正極導電体（１０９）の上に向かって延伸部の二者の電気的に結合箇所を封鎖する。及び側面正極導電体（１０９）内側絶縁の絶縁パッケージ封止体（１０５）の上に向かって折り返しパッケージ封止部（１０５０）、側面負極導電体（１１０）内側絶縁の絶縁パッケージ封止体（１０５）の上に向かって延伸部を加工して密封区（１０５１）にすることによって、電気エネルギー入出力導電端子（１０２１）と側面負極導電体（１１０）の上に向かって延伸部の電気的に結合箇所を封鎖する。
【００９０】
絶縁パッケージ封止体（１０５）内部に電解液又は電解質を注入する。また側面負極導電体（１１０）内側絶縁の絶縁パッケージ封止体（１０５）の下に向かって折り返しパッケージ封止部（１０５０）と側面正極導電体（１０９）内側絶縁の絶縁パッケージ封止体（１０５）の下に向かって延伸部を加工して密封区（１０５２）にすることによって電気エネルギー入出力導電端子（１０１２）と側面正極導電体（１０９）の下に向かって延伸部の二者の電気的に結合箇所を封鎖する。及び側面正極導電体（１０９）内側絶縁の絶縁パッケージ封止体（１０５）の下に向かって折り返しパッケージ封止部（１０５０）と側面負極導電体（１１０）内側絶縁の絶縁パッケージ封止体（１０５）の下に向かって延伸部を封止し、加工して密封区（１０５２）にすることによって電気エネルギー入出力導電端子（１０２２）と側面負極導電体（１１０）の下に向かって延伸部の電気的に結合箇所を封鎖する。
【００９１】
中の電気エネルギー入出力導電端子（１０１２）は側面正極導電体（１０９）の一端と電気的に結合し、更に側面正極導電体（１０９）の他端を経て、電気エネルギー入出力導電端子（１０１１）と電気的に結合し、また正極性電気的に並列接続する。電気エネルギー入出力導電端子（１０２２）は側面負極導電体（１１０）の一端と電気的に結合し、更に側面負極導電体（１１０）の他端を経て、電気エネルギー入出力導電端子（１０２１）と電気的に結合し、また負極性電気的に並列接続し、更に側面正極導電体（１０９）の露出導電面及び側面負極導電体（１１０）の露出導電面により一辺の入出力導電インターフェースを構成する。
側面正極導電体（１０９）は、導電材料により構成され、正極入出力導電端子である。
側面負極導電体（１１０）は、導電材料により構成され、負極入出力導電端子である。
【００９２】
上述の側面正極導電体（１０９）及び側面負極導電体（１１０）は、四辺形のシート状、縞状シート状、又は円形のシート状導電体により構成されることを含む。上下両端に別々に導電性ストリップが延伸し、また側面正極導電体（１０９）の上下端から別々に導電性ストリップが延伸し、更に別々に正極性の電気エネルギー入出力導電端子（１０１１）と電気エネルギー入出力導電端子（１０１２）を電気的に並列接続し、及び側面負極導電体（１１０）上下端から別々に導電性ストリップが延伸し、更に別々に負極性の電気エネルギー入出力導電端子（１０２１）と電気エネルギー入出力導電端子（１０２２）を電気的に並列接続し、また側面正極導電体（１０９）の露出導電面及び側面負極導電体（１１０）の露出導電面により一辺の入出力導電インターフェースを構成する。
【００９３】
図５０は縞状シート状側面正極導電体（１０９）を備え、及び側面負極導電体（１１０）の電極対の片側を正極入出力導電端子とし、他側を負極入出力導電端子とすることによって、一辺の入出力導電インターフェースを構成する実施例を示す構造模式図である。
図５０のＡ−Ａ側断面図は図４８と同じである。
図５０のＢ−Ｂ側断面図は図４９と同じである。
【００９４】
図５０、図４８及び図４９に縞状シート状側面正極導電体（１０９）を備え、及び側面負極導電体（１１０）の電極対の片側を正極入出力導電端子とし、他側を負極入出力導電端子とすることによって、一辺の入出力導電インターフェースを構成することを示す。
【００９５】
図５１は円形のシート状側面正極導電体（１０９）を備え、及び側面負極導電体（１１０）の電極対の片側を正極入出力導電端子とし、他側を負極入出力導電端子とすることによって、一辺の入出力導電インターフェースを構成する実施例を示す構造模式図である。
図５１のＡ−Ａ側断面図は図４８と同じである。
図５１のＢ−Ｂ側断面図は図４９と同じである。
【００９６】
図５１、図４８及び図４９に円形のシート状側面正極導電体（１０９）を備え、及び側面負極導電体（１１０）の電極対の片側を正極入出力導電端子とし、他側を負極入出力導電端子とすることによって、一辺の入出力導電インターフェースを構成することを示す。
【００９７】
上述の複数個の充放電セルにより構成するとき、分散してから更に導電体によって連結させ、上記は中の１個又はそれ以上の充放電セルを１個又はそれ以上の筐体内部に入れ込み、集中してモジュール構造になり、導電体又は各充放電装置の入出力導電インターフェースにより連結させることによって、電気エネルギーを伝送することを含む。
図５２は本発明の充放電セルに筐体（１２０）内部のモジュールを設置する実施例を示す構造模式図である。
図５３は図５２の側面模式図を示す。
図５２、図５３に筐体（１２０）内部に１個又はそれ以上の充放電セルを入れ込むことを示す。
筐体（１２０）は、柔軟性（可撓性）又は硬質材料、例えばステンレスにより構成される。
本実施例の絶縁パッケージ封止体を備える多辺形導電端子付き電極板対充放電装置を巻式構造にすることができる。
【００９８】
図５４に本発明の電極板対に中の一辺の入出力導電端子及び側面正極導電体（１０９）、側面負極導電体（１１０）を単層絶縁密封し、また中の一辺の入出力導電端子を一辺の入出力導電インターフェースの巻式構造とする実施例の電極板展開図を示す。
図５５は図５４のＡ−Ａ側断面図を示す。
図５６は図５４のＢ−Ｂ側断面図を示す。
【００９９】
図５４、図５５及び図５６に本実施例を構成する絶縁パッケージ封止体を備える多辺形導電端子付き電極板対充放電装置中の電極板対の中の一辺の入出力導電端子及び側面正極導電体（１０９）、側面負極導電体（１１０）を単層絶縁密封し、また中の一辺の入出力導電端子を一辺の入出力導電インターフェースの巻式構造とすることを示す。
図５７は本発明図５４巻式構造の実施例のＣ−Ｃ断面模式図の一を示す。
【０１００】
図５７は側面正極導電体（１０９）、側面負極導電体（１１０）及び中の一辺の入出力導電端子を単層絶縁密封し、また正電極板（１０１）、負電極板（１０２）、セパレータ（１０４）及び側面正極導電体（１０９）、側面負極導電体（１１０）は巻式構造であり、また１個又はそれ以上の正極入出力導電端子及び１個又はそれ以上の負極入出力導電端子を分離設置することに合わせて、一辺の入出力導電インターフェースを構成することを示す。
図５８は本発明図５４巻式構造の実施例のＣ−Ｃ断面模式図の二を示す。
【０１０１】
図５８は側面正極導電体（１０９）、側面負極導電体（１１０）及び中の一辺の入出力導電端子を単層絶縁密封し、また正電極板（１０１）、負電極板（１０２）、セパレータ（１０４）及び側面正極導電体（１０９）、側面負極導電体（１１０）は巻式構造であり、また一辺に隣接設置する１個又はそれ以上の正極入出力導電端子及び１個又はそれ以上の負極入出力導電端子を隣接設置し、同極性に並列接続することに合わせて、一辺の入出力導電インターフェースを構成することを示す。
【０１０２】
図５９は本発明の電極板対両辺の入出力導電端子を単層絶縁密封し、また側面正極導電体（１０９）及び側面負極導電体（１１０）により一辺の入出力導電インターフェースの巻式構造を構成する実施例を示す電極板展開図である。
図６０は図５９のＡ−Ａ側断面図を示す。
図６１は図５９のＢ−Ｂ側断面図を示す。
【０１０３】
図５９、図６０及び図６１は本実施例の絶縁パッケージ封止体を備える多辺形導電端子付き電極板対充放電装置中の電極板対の中の電極板対両辺の入出力導電端子を単層絶縁密封し、また側面正極導電体（１０９）及び側面負極導電体（１１０）により一辺の入出力導電インターフェースの巻式構造とすることを示す。
図６２は本発明図５９巻式構造の実施例のＣ−Ｃ断面模式図を示す。
【０１０４】
図６２は電極板対の両辺の入出力導電端子を単層絶縁密封し、また両側の側面正極導電体（１０９）及び側面負極導電体（１１０）に合わせて、一辺の入出力導電インターフェースを構成することを示す。
【０１０５】
（三）絶縁パッケージ封止体を備える多辺形導電端子付き電極板対により構成される充放電装置に外層補助絶縁パッケージ封止体（１０６）を追設し、また一辺の入出力導電インターフェースを備える多層封止の応用例である。また多辺形導電端子付き電極板対は一辺に設置する正負極性入出力導電端子を経て、入出力導電インターフェースを構成することによって、外部に対して電気エネルギーを伝送し、電極板の形状はニーズによって種類多すぎるために、一般的な四辺形電極板を代表例として以下に説明する。
【０１０６】
図６３は本発明に四辺形のシート状側面正極導電体（１０９）、側面負極導電体（１１０）の絶縁パッケージ封止体を備える多辺形導電端子付き電極板対充放電装置を設置する構造模式図を示す。
図６４は図６３のＡ−Ａ側断面図を示す。
図６５は図６３のＢ−Ｂ側断面図を示す。
図６３、図６４及び図６５の主な構成は下記を含む。
【０１０７】
正電極板（１０１）は、１枚又はそれ以上の板状又は薄いシート状四辺形正電極板により構成される。正電極板の向かい合う辺は、別々に少なくとも１個の電気エネルギー入出力導電端子を備え、正電極板表面に電気化学物質を塗布する。
【０１０８】
負電極板（１０２）は、１枚又はそれ以上の板状又は薄いシート状四辺形負電極板により構成される。負電極板の向かい合う辺は、別々に少なくとも１個の電気エネルギー入出力導電端子を備え、負電極板表面に電気化学物質を塗布する。
【０１０９】
セパレータ（１０４）は、微孔性及び多孔性を備える薄膜であり、材質は主にＰＰ、ＰＥで、正負電極板の間に設置し、主な機能は正負電極を隔離したり、また自己放電及び両極の短絡を防いだりすることによって、異極性電極板の間及びニーズによって電極板の側辺に設置する。
【０１１０】
四辺形電極板の向かい合う辺に個別に外側に向かって延伸する１個又はそれ以上電気エネルギーを伝送する入出力端子を備え、また１枚又はそれ以上の正電極板と同じ数又は違う数の１枚又はそれ以上の負電極板の間にセパレータを挟んで設置し、また異極性電極板が交差して重なり合うことによって電極対を構成し、複数個の同極性電極板を備えるとき、各同極性電極板の同辺で電気エネルギーを伝送する同極性入出力端子間で電気的に並列接続する。
【０１１１】
絶縁パッケージ封止体（１０５）は、各種の絶縁性を持つ硬質又は軟質封止材、例えば包装用アルミ箔製品を含む。絶縁パッケージ封止体（１０５）の周辺を封鎖して中空リング状にし、両端の開口部にセパレータ（１０４）の正電極板（１０１）と負電極板（１０２）を挟んで設置し、絶縁パッケージ封止体（１０５）の１つの開口端に電気エネルギー入出力導電端子（１０１１）と電気エネルギー入出力導電端子（１０２１）を露出させ、また絶縁パッケージ封止体（１０５）を加工して密封区（１０５１）にすることによって、電気エネルギー入出力導電端子（１０１１）と電気エネルギー入出力導電端子（１０２１）の電極板部付近を封鎖し、また電気エネルギー入出力導電端子（１０１１）と電気エネルギー入出力導電端子（１０２１）末端部を同側に露出させ、絶縁パッケージ封止体（１０５）に電解液又は電解質を注入し、別の開口端に電気エネルギー入出力導電端子（１０１２）と電気エネルギー入出力導電端子（１０２２）を露出させ、及び絶縁パッケージ封止体（１０５）を加工して密封区（１０５２）にすることによって、電気エネルギー入出力導電端子（１０１２）と電気エネルギー入出力導電端子（１０２２）の電極板部付近を封鎖し、また電気エネルギー入出力導電端子（１０１２）と電気エネルギー入出力導電端子（１０２２）末端部を露出させ、かつ絶縁パッケージ封止体（１０５）の密封区（１０５２）外部に沿って内部に向かって曲げることによって、別々に側面正極導電体（１０９）及び側面負極導電体（１１０）に連結し、中の電気エネルギー入出力導電端子（１０１２）は側面正極導電体（１０９）の一端と電気的に結合し、側面正極導電体（１０９）の他端は電気エネルギー入出力導電端子（１０１１）と電気的に結合し、また正極性電気的に並列接続する。電気エネルギー入出力導電端子（１０２２）は側面負極導電体（１１０）の一端と電気的に結合し、側面負極導電体（１１０）の他端は電気エネルギー入出力導電端子（１０２１）と電気的に結合し、また負極性電気的に並列接続することによって、１つの充放電セルを構成する。
側面正極導電体（１０９）は導電材料により構成され、絶縁パッケージ封止体（１０５）の片側に貼付ける。
側面負極導電体（１１０）は導電材料により構成され、絶縁パッケージ封止体（１０５）の他側に貼付ける。
【０１１２】
上述の側面正極導電体（１０９）及び側面負極導電体（１１０）は、四辺形のシート状、縞状シート状、又は円形のシート状導電体により構成されることを含む。上下両端に別々に導電性ストリップが延伸し、また側面正極導電体（１０９）の上下端から別々に導電性ストリップが延伸し、更に別々に正極性の電気エネルギー入出力導電端子（１０１１）、電気エネルギー入出力導電端子（１０１２）と電気的に結合し、及び側面負極導電体（１１０）上下端から別々に導電性ストリップが延伸し、更に別々に負極性の電気エネルギー入出力導電端子（１０２１）、電気エネルギー入出力導電端子（１０２２）と電気的に結合する。
【０１１３】
外層補助絶縁パッケージ封止体（１０６）は、各種の絶縁性質である硬質又は軟質封止材、例えば包装用アルミ箔製品の三面をシールして袋状することによって、絶縁パッケージ封止体（１０５）の中にある充放電セルを入れ込み、また充放電セルの電気エネルギー入出力導電端子（１０１１）及び電気エネルギー入出力導電端子（１０２１）は、外層補助絶縁パッケージ封止体（１０６）の開口端から外部に向かって露出し、また外層補助絶縁パッケージ封止体（１０６）を加工して外層密封加工区（１０６１）にし、絶縁パッケージ封止体（１０５）を密封区（１０５１）にすることによって、電気エネルギー入出力導電端子（１０１１）及び電気エネルギー入出力導電端子（１０２１）の中間部を封鎖し、また電気エネルギー入出力導電端子（１０１１）と電気エネルギー入出力導電端子（１０２１）最末端部を同側に露出させ、外部に対して電気エネルギー入出力導電端子とし、更に本実施例の絶縁パッケージ封止体を備える多辺形導電端子付き電極板対充放電装置の多辺形導電端子付き電極板対を追設することによって、外層補助絶縁パッケージ封止体（１０６）また一辺の入出力導電インターフェースを備える多層封止構造を構成する。
【０１１４】
図６６は本発明に縞状シート状側面正極導電体（１０９）、側面負極導電体（１１０）の絶縁パッケージ封止体を備える多辺形導電端子付き電極板対充放電装置を設けた構造模式図である。
図６６のＡ−Ａ側断面図は図６４と同じである。
図６６のＢ−Ｂ側断面図は図６５と同じである。
【０１１５】
図６６、図６４及び図６５は本発明に縞状シート状側面正極導電体（１０９）、側面負極導電体（１１０）を備える多辺形導電端子付き電極板対を一辺の入出力導電インターフェースを備える多層封止構造に換えることを示す。
【０１１６】
図６７は本発明に円形のシート状側面正極導電体（１０９）、側面負極導電体（１１０）の絶縁パッケージ封止体を備える多辺形導電端子付き電極板対充放電装置を設けた構造模式図を示す。
図６７のＡ−Ａ側断面図は図６４と同じである。
図６７のＢ−Ｂ側断面図は図６５と同じである。
【０１１７】
図６７、図６４及び図６５に本発明に円形のシート状側面正極導電体（１０９）、側面負極導電体（１１０）を備える多辺形導電端子付き電極板対を一辺の入出力導電インターフェースを備える多層封止構造に換えることを示す。
【０１１８】
正電極板（１０１）の一辺は一体的に延伸する電気エネルギー入出力導電端子（１０１２）及び側面正極導電体（１０９）を備え、更に電気エネルギー入出力導電端子（１０１１）と結合し、及び負電極板（１０２）の一辺は一体的に延伸する電気エネルギー入出力導電端子（１０２２）及び側面負極導電体（１１０）を備え、更に負電極板（１０２）と結合することより、結合・加工点を減らす例を説明する。
【０１１９】
図６８は図６３の正電極板（１０１）の一辺は一体的に延伸する電気エネルギー入出力導電端子（１０１２）及び側面正極導電体（１０９）を備え、更に電気エネルギー入出力導電端子（１０１１）と結合し、及び負電極板（１０２）の一辺は一体的に延伸する電気エネルギー入出力導電端子（１０２２）及び側面負極導電体（１１０）を備え、更に負電極板（１０２）と結合する構造模式図を示す。
図６９は図６８のＡ−Ａ側断面図を示す。
図７０は図６８のＢ−Ｂ側断面図を示す。
【０１２０】
図６８、図６９及び図７０の正電極板（１０１）の一辺は一体的に延伸する電気エネルギー入出力導電端子（１０１２）及び側面正極導電体（１０９）を備え、更に電気エネルギー入出力導電端子（１０１１）と結合し、及び負電極板（１０２）の一辺は一体的に延伸する電気エネルギー入出力導電端子（１０２２）及び側面負極導電体（１１０）を備え、更に負電極板（１０２）と結合ることより、一辺の入出力導電インターフェースを構成することを特徴とする。
【０１２１】
図７１は図６６の正電極板（１０１）の一辺は一体的に延伸する電気エネルギー入出力導電端子（１０１２）及び側面正極導電体（１０９）を備え、更に電気エネルギー入出力導電端子（１０１１）と結合し、及び負電極板（１０２）の一辺は一体的に延伸する電気エネルギー入出力導電端子（１０２２）及び側面負極導電体（１１０）を備え、更に負電極板（１０２）と結合する構造模式図を示す。
図７１のＡ−Ａ側断面図は図６９と同じである。
図７１のＢ−Ｂ側断面図は図７０と同じである。
【０１２２】
図７１、図６９及び図７０の正電極板（１０１）の一辺は一体的に延伸する電気エネルギー入出力導電端子（１０１２）及び側面正極導電体（１０９）を備え、更に電気エネルギー入出力導電端子（１０１１）と結合し、及び負電極板（１０２）の一辺は一体的に延伸する電気エネルギー入出力導電端子（１０２２）及び側面負極導電体（１１０）を備え、更に負電極板（１０２）と結合ることより、一辺の入出力導電インターフェースを構成することを特徴とする。
【０１２３】
図７２は図６７の正電極板（１０１）の一辺は一体的に延伸する電気エネルギー入出力導電端子（１０１２）及び側面正極導電体（１０９）を備え、更に電気エネルギー入出力導電端子（１０１１）と結合し、及び負電極板（１０２）の一辺は一体的に延伸する電気エネルギー入出力導電端子（１０２２）及び側面負極導電体（１１０）を備え、更に負電極板（１０２）と結合する構造模式図を示す。
図７２のＡ−Ａ側断面図は図６９と同じである。
図７２のＢ−Ｂ側断面図は図７０と同じである。
【０１２４】
図７２、図６９及び図７０の正電極板（１０１）の一辺は一体的に延伸する電気エネルギー入出力導電端子（１０１２）及び側面正極導電体（１０９）を備え、更に電気エネルギー入出力導電端子（１０１１）と結合し、及び負電極板（１０２）の一辺は一体的に延伸する電気エネルギー入出力導電端子（１０２２）及び側面負極導電体（１１０）を備え、更に負電極板（１０２）と結合ることより、一辺の入出力導電インターフェースを構成することを特徴とする。
【０１２５】
絶縁パッケージ封止体を備える多辺形導電端子付き電極板対充放電装置両側の側面正極導電体（１０９）、側面負極導電体（１１０）入出力導電インターフェースの構造として使うことによって、単独使用、直列接続、並列接続、又は直並列接続へ応用する。構成方式は以下の通りである。
側面正極導電体（１０９）及び側面負極導電体（１１０）の露出導電面により直接入出力導電インターフェースを構成する。
【０１２６】
側面正極導電体（１０９）の露出面に側面正極補助用導電体（１０９１）を設置し、側面負極導電体（１１０）の露出面に側面負極補助用導電体（１１０１）を設置し、入出力導電インターフェースを構成する。
【０１２７】
側面正極導電体（１０９）の中間部に１箇所又はそれ以上の外部に向かって突出する構造を作り、及び側面負極導電体（１１０）の中間部に１箇所又はそれ以上の外部に向かって突出する構造を作り、入出力導電インターフェースを構成する。
例を挙げて説明する。
【０１２８】
図７３は図６３の絶縁パッケージ封止体を備える多辺形導電端子付き電極板対充放電装置両側の側面正極導電体（１０９）、側面負極導電体（１１０）は、両側外層補助絶縁パッケージ封止体（１０６）の開口（１０６０）を経て、入出力導電インターフェースになる構造模式図を示す。
図７４は図７３のＡ−Ａ側断面図を示す。
図７５は図７３のＢ−Ｂ側断面図を示す。
【０１２９】
図７３、図７４及び図７５の絶縁パッケージ封止体を備える多辺形導電端子付き電極板対充放電装置両側の側面正極導電体（１０９）、側面負極導電体（１１０）は、両側外層補助絶縁パッケージ封止体（１０６）の開口（１０６０）を経て、入出力導電インターフェースになることを特徴とする。
【０１３０】
図７６は図６６の絶縁パッケージ封止体を備える多辺形導電端子付き電極板対充放電装置両側の側面正極導電体（１０９）、側面負極導電体（１１０）は、両側外層補助絶縁パッケージ封止体（１０６）の開口（１０６０）を経て、入出力導電インターフェースになる構造模式図を示す。
図７６のＡ−Ａ側断面図は図７４と同じである。
図７６のＢ−Ｂ側断面図は図７５と同じである。
【０１３１】
図７６、図７４及び図７５の絶縁パッケージ封止体を備える多辺形導電端子付き電極板対充放電装置両側の側面正極導電体（１０９）、側面負極導電体（１１０）は、両側外層補助絶縁パッケージ封止体（１０６）の開口（１０６０）を経て、入出力導電インターフェースになることを特徴とする
【０１３２】
図７７は図６７の絶縁パッケージ封止体を備える多辺形導電端子付き電極板対充放電装置両側の側面正極導電体（１０９）、側面負極導電体（１１０）は、両側外層補助絶縁パッケージ封止体（１０６）の開口（１０６０）を経て、入出力導電インターフェースになる構造模式図を示す。
図７７のＡ−Ａ側断面図は図７４と同じである。
図７７のＢ−Ｂ側断面図は図７５と同じである。
【０１３３】
図７７、図７４及び図７５の絶縁パッケージ封止体を備える多辺形導電端子付き電極板対充放電装置両側の側面正極導電体（１０９）、側面負極導電体（１１０）は、両側外層補助絶縁パッケージ封止体（１０６）の開口（１０６０）を経て、入出力導電インターフェースになることを特徴とする。
【０１３４】
図７８は図６３の絶縁パッケージ封止体を備える多辺形導電端子付き電極板対充放電装置両側の側面正極導電体（１０９）に側面正極補助用導電体（１０９１）を設置し、側面負極導電体（１１０）に側面負極補助用導電体（１１０１）を設置し、両側外層補助絶縁パッケージ封止体（１０６）の開口（１０６０）を経て、入出力導電インターフェースになる構造模式図を示す。
図７９は図７８のＡ−Ａ側断面図を示す。
図８０は図７８のＢ−Ｂ側断面図を示す。
【０１３５】
図７８、図７９及び図８０の絶縁パッケージ封止体を備える多辺形導電端子付き電極板対充放電装置両側の側面正極導電体（１０９）に側面正極補助用導電体（１０９１）を設置し、側面負極導電体（１１０）に側面負極補助用導電体（１１０１）を設置し、両側外層補助絶縁パッケージ封止体（１０６）の開口（１０６０）を経て、入出力導電インターフェースになることを特徴とする。
【０１３６】
図８１は図６６の絶縁パッケージ封止体を備える多辺形導電端子付き電極板対充放電装置両側の側面正極導電体（１０９）に側面正極補助用導電体（１０９１）を設置し、側面負極導電体（１１０）に側面負極補助用導電体（１１０１）を設置し、両側外層補助絶縁パッケージ封止体（１０６）の開口（１０６０）を経て、入出力導電インターフェースになる構造模式図を示す。
図８１のＡ−Ａ側断面図は図７９と同じである。
図８１のＢ−Ｂ側断面図は図８０と同じである。
【０１３７】
図８１、図７９及び図８０の絶縁パッケージ封止体を備える多辺形導電端子付き電極板対充放電装置両側の側面正極導電体（１０９）に側面正極補助用導電体（１０９１）を設置し、側面負極導電体（１１０）に側面負極補助用導電体（１１０１）を設置し、両側外層補助絶縁パッケージ封止体（１０６）の開口（１０６０）を経て、入出力導電インターフェースになることを特徴とする。
【０１３８】
図８２は図６７の絶縁パッケージ封止体を備える多辺形導電端子付き電極板対充放電装置両側の側面正極導電体（１０９）に側面正極補助用導電体（１０９１）を設置し、側面負極導電体（１１０）に側面負極補助用導電体（１１０１）を設置し、両側外層補助絶縁パッケージ封止体（１０６）の開口（１０６０）を経て、入出力導電インターフェースになる構造模式図を示す。
図８２のＡ−Ａ側断面図は図７９と同じである。
図８２のＢ−Ｂ側断面図は図８０と同じである。
【０１３９】
図８２、図７９及び図８０の絶縁パッケージ封止体を備える多辺形導電端子付き電極板対充放電装置両側の側面正極導電体（１０９）に側面正極補助用導電体（１０９１）を設置し、側面負極導電体（１１０）に側面負極補助用導電体（１１０１）を設置し、両側外層補助絶縁パッケージ封止体（１０６）の開口（１０６０）を経て、入出力導電インターフェースになることを特徴とする。
【０１４０】
図８３は図６３の絶縁パッケージ封止体を備える多辺形導電端子付き電極板対充放電装置両側の側面正極導電体（１０９）の中間部に外部に向かって突出する構造を作り、側面負極導電体（１１０）の中間部に外部に向かって突出する構造を作り、両側外層補助絶縁パッケージ封止体（１０６）の開口（１０６０）を経て、入出力導電インターフェースになる構造模式図を示す。
図８４は図８３のＡ−Ａ側断面図を示す。
図８５は図８３のＢ−Ｂ側断面図を示す。
【０１４１】
図８３、図８４及び図８５の絶縁パッケージ封止体を備える多辺形導電端子付き電極板対充放電装置両側の側面正極導電体（１０９）の中間部に外部に向かって突出する構造を作り、側面負極導電体（１１０）の中間部に外部に向かって突出する構造を作り、両側外層補助絶縁パッケージ封止体（１０６）の開口（１０６０）を経て、入出力導電インターフェースになることを特徴とする。
【０１４２】
図８６は図６６の絶縁パッケージ封止体を備える多辺形導電端子付き電極板対充放電装置両側の側面正極導電体（１０９）の中間部に外部に向かって突出する構造を作り、側面負極導電体（１１０）の中間部に外部に向かって突出する構造を作り、両側外層補助絶縁パッケージ封止体（１０６）の開口（１０６０）を経て、入出力導電インターフェースになる構造模式図を示す。
図８４のＡ−Ａ側断面図は図８４と同じである。
図８５のＢ−Ｂ側断面図は図８５と同じである。
【０１４３】
図８６、図８４及び図８５の絶縁パッケージ封止体を備える多辺形導電端子付き電極板対充放電装置両側の側面正極導電体（１０９）の中間部に外部に向かって突出する構造を作り、側面負極導電体（１１０）の中間部に外部に向かって突出する構造を作り、両側外層補助絶縁パッケージ封止体（１０６）の開口（１０６０）を経て、入出力導電インターフェースになることを特徴とする。
【０１４４】
図８７は図６７の絶縁パッケージ封止体を備える多辺形導電端子付き電極板対充放電装置両側の側面正極導電体（１０９）の中間部に外部に向かって突出する構造を作り、側面負極導電体（１１０）の中間部に外部に向かって突出する構造を作り、両側外層補助絶縁パッケージ封止体（１０６）の開口（１０６０）を経て、入出力導電インターフェースになる構造模式図を示す。
図８７のＡ−Ａ側断面図は図８４と同じである。
図８７のＢ−Ｂ側断面図は図８５と同じである。
【０１４５】
図８７、図８４及び図８５の絶縁パッケージ封止体を備える多辺形導電端子付き電極板対充放電装置両側の側面正極導電体（１０９）の中間部に外部に向かって突出する構造を作り、側面負極導電体（１１０）の中間部に外部に向かって突出する構造を作り、両側外層補助絶縁パッケージ封止体（１０６）の開口（１０６０）を経て、入出力導電インターフェースになることを特徴とする。
【０１４６】
上述の複数個の充放電セルにより構成するとき、分散してから更に導電体によって連結させ、上記は中の１個又はそれ以上の充放電セルを１個又はそれ以上の筐体内部に入れ込み、集中してモジュール構造になり、導電体又は各充放電装置の入出力導電インターフェースにより連結させることによって、電気エネルギーを伝送することを含む。
図８８は本発明の充放電セルに筐体（１２０）内部のモジュールを設置する実施例を示す構造模式図である。
図８９は図８８の構造側面模式図を示す。
図８８、図８９に筐体（１２０）内部に１個又はそれ以上の充放電セルを入れ込むことを示す。
筐体（１２０）は、柔軟性（可撓性）又は硬質材料、例えばステンレスにより構成される。
本実施例の絶縁パッケージ封止体を備える多辺形導電端子付き電極板対充放電装置を巻式構造にすることができる。
【０１４７】
図９０は本発明電極板対の一辺の入出力導電端子、側面正極導電体（１０９）、及び側面負極導電体（１１０）の多層絶縁パッケージ封止体を密封し、また中の一辺の入出力導電端子を一辺の入出力導電インターフェースの巻式構造とする実施例を示す電極板展開図である。
図９１は図９０のＡ−Ａ側断面図を示す。
図９２は図９０のＢ−Ｂ側断面図を示す。
【０１４８】
図９０、図９１及び図９２に電極板対の一辺の入出力導電端子、側面正極導電体（１０９）、及び側面負極導電体（１１０）の多層絶縁パッケージ封止体を密封し、また中の一辺の入出力導電端子を一辺の入出力導電インターフェースの巻式構造とすることを示す。
図９３は本発明図９０巻式構造の実施例のＣ−Ｃ断面模式図の一を示す。
【０１４９】
図９３は多層絶縁パッケージ封止体を密封し、また一辺に分離設置する１個又はそれ以上の正極入出力導電端子及び１個又はそれ以上の負極入出力導電端子を分離設置することにより、一辺の入出力導電インターフェースを構成することを示す。
図９４に本発明図９０巻式構造の実施例のＣ−Ｃ断面模式図の二を示す。
【０１５０】
図９４に多層絶縁パッケージ封止体を密封し、また一辺に隣接設置する１個又はそれ以上の正極入出力導電端子及び１個又はそれ以上の負極入出力導電端子を隣接設置し、同極性に並列接続することに合わせて、一辺の入出力導電インターフェースを構成することを示す。
図９５は本発明図９０巻式構造の実施例のＣ−Ｃ断面模式図の三を示す。
【０１５１】
図９５は多層絶縁パッケージ封止体を密封し、側面正極導電体（１０９）の側面負極導電体（１１０）に合わせて、一辺の入出力導電インターフェースを構成することを示す。
【０１５２】
本実施例の絶縁パッケージ封止体を備える多辺形導電端子付き電極板対充放電装置が作動するとき、同一絶縁パッケージ封止体（１０５）の中の電極板対の正電極板（１０１）、負電極板（１０２）の数又はサイズは、応用によって選択することができる。上記は以下の一種又はそれ以上の選択を含む。
１）  同時に正電極板（１０１）と負電極板（１０２）の両方、又はいずれか一方の数を増やし、また正電極板（１０１）と負電極板（１０２）の数は同じである。
２）  同時に正電極板（１０１）と負電極板（１０２）の両方、又はいずれか一方の数を増やし、また正電極板（１０１）と負電極板（１０２）の数は違う。
図９６は本発明の多辺形入出力端子付き電極板対を備える特定一辺の入出力多層封止構造を応用例とし、正電極板（１０１）と負電極板（１０２）の両方、又はいずれか一方の数を増やす実施例模式図を示す。
図９７は図９６のＡ−Ａ側断面図を示す。
図９８は図９６のＢ−Ｂ側断面図を示す。
３）  正電極板（１０１）と負電極板（１０２）の両方、又はいずれか一方の一部の電極板の厚さが違う。
図９９は図９６の正電極板（１０１）と負電極板（１０２）の両方、又はいずれか一方の一部の電極板の厚さが違う実施例一のＡ−Ａ側断面図を示す。
図１００は図９６の正電極板（１０１）と負電極板（１０２）の両方、又はいずれか一方の一部の電極板の厚さが違う実施例一のＢ−Ｂ側断面図を示す。
図１０１は図９６の正電極板（１０１）と負電極板（１０２）の両方、又はいずれか一方の一部の電極板の厚さが違う実施例二のＡ−Ａ側断面図を示す。
図１０２は図９６の正電極板（１０１）と負電極板（１０２）の両方、又はいずれか一方の一部の電極板の厚さが違う実施例二のＢ−Ｂ側断面図を示す。
４）  正電極板（１０１）と負電極板（１０２）の両方、又はいずれか一方の両辺又はそれ以上に別々に電気エネルギー入出力導電端子を設置し、また中の少なくとも一辺は１個以上の電気エネルギー入出力導電端子を備える。
【０１５３】
図１０３は本発明の多辺形入出力端子付き電極板対を備える特定一辺の入出力多層封止構造を応用例とし、正電極板（１０１）と負電極板（１０２）の両方、又はいずれか一方の両辺に別々に２個の電気エネルギー入出力導電端子を設置する実施例を示す模式図である。
本実施例の絶縁パッケージ封止体を備える多辺形導電端子付き電極板対充放電装置の応用方式は下記の方式を含む。
単独使用する方式。
同極性並列接続方式。
同極性直列接続方式。
逆極性直列接続方式。
同極性に並列接続してから、更に並列接続する両端を直列増圧の極性の順番によって直列接続する方式。
直列増圧の極性の順番によって直列接続してから、更に直列接続後の同定格電圧の両端を同極性並列接続する方式。
【０１５４】
本実施例の絶縁パッケージ封止体を備える多辺形導電端子付き電極板対充放電装置の電極板の幾何学的形状は、ニーズによって各種の幾何学的形状、例えば多辺形、円形又は楕円形を含む。
【０１５５】
本実施例の絶縁パッケージ封止体を備える多辺形導電端子付き電極板対充放電装置の各電極板辺の両辺又はそれ以上に入出力導電インターフェースを設け、両辺は対辺、隣辺、三辺、四辺以上、円形、又は楕円形の周辺を含む。
本実施例の絶縁パッケージ封止体を備える多辺形導電端子付き電極板対充放電装置の電極板にある入出力導電端子１個又はそれ以上を含む。
【符号の説明】
【０１５６】
１０１：正電極板
１０２：負電極板
１０４：セパレータ
１０５：絶縁パッケージ封止体
１０５０：折り返しパッケージ封止部
１０５１、１０５２：密封区
１０６：外層補助絶縁パッケージ封止体
１０６０：外層補助絶縁パッケージ封止体１０６の開口
１０６１：外層密封加工区
１０９：側面正極導電体
１０９１：側面正極補助用導電体
１１０：側面負極導電体
１１０１：側面負極補助用導電体
１２０：筐体
１０１１、１０１１’、１０１２、１０１２’、１０１３、１０１３’、１０１４、１０１４’、１０２１、１０２１’、１０２２、１０２３、１０２４：導電端子
【図１】
2016009685.tif 000003
【図２】
2016009685.tif 000004
【図３】
2016009685.tif 000005
【図４】
2016009685.tif 000006
【図５】
2016009685.tif 000007
【図６】
2016009685.tif 000008
【図７】
2016009685.tif 000009
【図８】
2016009685.tif 000010
【図９】
2016009685.tif 000011
【図１０】
2016009685.tif 000012
【図１１】
2016009685.tif 000013
【図１２】
2016009685.tif 000014
【図１３】
2016009685.tif 000015
【図１４】
2016009685.tif 000016
【図１５】
2016009685.tif 000017
【図１６】
2016009685.tif 000018
【図１７】
2016009685.tif 000019
【図１８】
2016009685.tif 000020
【図１９】
2016009685.tif 000021
【図２０】
2016009685.tif 000022
【図２１】
2016009685.tif 000023
【図２２】
2016009685.tif 000024
【図２３】
2016009685.tif 000025
【図２４】
2016009685.tif 000026
【図２５】
2016009685.tif 000027
【図２６】
2016009685.tif 000028
【図２７】
2016009685.tif 000029
【図２８】
2016009685.tif 000030
【図２９】
2016009685.tif 000031
【図３０】
2016009685.tif 000032
【図３１】
2016009685.tif 000033
【図３２】
2016009685.tif 000034
【図３３】
2016009685.tif 000035
【図３４】
2016009685.tif 000036
【図３５】
2016009685.tif 000037
【図３６】
2016009685.tif 000038
【図３７】
2016009685.tif 000039
【図３８】
2016009685.tif 000040
【図３９】
2016009685.tif 000041
【図４０】
2016009685.tif 000042
【図４１】
2016009685.tif 000043
【図４２】
2016009685.tif 000044
【図４３】
2016009685.tif 000045
【図４４】
2016009685.tif 000046
【図４５】
2016009685.tif 000047
【図４６】
2016009685.tif 000048
【図４７】
2016009685.tif 000049
【図４８】
2016009685.tif 000050
【図４９】
2016009685.tif 000051
【図５０】
2016009685.tif 000052
【図５１】
2016009685.tif 000053
【図５２】
2016009685.tif 000054
【図５３】
2016009685.tif 000055
【図５４】
2016009685.tif 000056
【図５５】
2016009685.tif 000057
【図５６】
2016009685.tif 000058
【図５７】
2016009685.tif 000059
【図５８】
2016009685.tif 000060
【図５９】
2016009685.tif 000061
【図６０】
2016009685.tif 000062
【図６１】
2016009685.tif 000063
【図６２】
2016009685.tif 000064
【図６３】
2016009685.tif 000065
【図６４】
2016009685.tif 000066
【図６５】
2016009685.tif 000067
【図６６】
2016009685.tif 000068
【図６７】
2016009685.tif 000069
【図６８】
2016009685.tif 000070
【図６９】
2016009685.tif 000071
【図７０】
2016009685.tif 000072
【図７１】
2016009685.tif 000073
【図７２】
2016009685.tif 000074
【図７３】
2016009685.tif 000075
【図７４】
2016009685.tif 000076
【図７５】
2016009685.tif 000077
【図７６】
2016009685.tif 000078
【図７７】
2016009685.tif 000079
【図７８】
2016009685.tif 000080
【図７９】
2016009685.tif 000081
【図８０】
2016009685.tif 000082
【図８１】
2016009685.tif 000083
【図８２】
2016009685.tif 000084
【図８３】
2016009685.tif 000085
【図８４】
2016009685.tif 000086
【図８５】
2016009685.tif 000087
【図８６】
2016009685.tif 000088
【図８７】
2016009685.tif 000089
【図８８】
2016009685.tif 000090
【図８９】
2016009685.tif 000091
【図９０】
2016009685.tif 000092
【図９１】
2016009685.tif 000093
【図９２】
2016009685.tif 000094
【図９３】
2016009685.tif 000095
【図９４】
2016009685.tif 000096
【図９５】
2016009685.tif 000097
【図９６】
2016009685.tif 000098
【図９７】
2016009685.tif 000099
【図９８】
2016009685.tif 000100
【図９９】
2016009685.tif 000101
【図１００】
2016009685.tif 000102
【図１０１】
2016009685.tif 000103
【図１０２】
2016009685.tif 000104
【図１０３】
2016009685.tif 000105
【外国語明細書】
2016009685.tif 000106
2016009685.tif 000107
2016009685.tif 000108
2016009685.tif 000109
2016009685.tif 000110
2016009685.tif 000111
2016009685.tif 000112
2016009685.tif 000113
2016009685.tif 000114
2016009685.tif 000115
2016009685.tif 000116
2016009685.tif 000117
2016009685.tif 000118
2016009685.tif 000119
2016009685.tif 000120
2016009685.tif 000121
2016009685.tif 000122
2016009685.tif 000123
2016009685.tif 000124
2016009685.tif 000125
2016009685.tif 000126
2016009685.tif 000127
2016009685.tif 000128
2016009685.tif 000129
2016009685.tif 000130
2016009685.tif 000131
2016009685.tif 000132
2016009685.tif 000133
2016009685.tif 000134
2016009685.tif 000135
2016009685.tif 000136
2016009685.tif 000137
2016009685.tif 000138
2016009685.tif 000139
2016009685.tif 000140
2016009685.tif 000141
2016009685.tif 000142
2016009685.tif 000143
2016009685.tif 000144
2016009685.tif 000145
2016009685.tif 000146
2016009685.tif 000147
2016009685.tif 000148
2016009685.tif 000149
2016009685.tif 000150
2016009685.tif 000151
2016009685.tif 000152
2016009685.tif 000153
2016009685.tif 000154
2016009685.tif 000155
2016009685.tif 000156
2016009685.tif 000157
2016009685.tif 000158
2016009685.tif 000159
2016009685.tif 000160
2016009685.tif 000161
2016009685.tif 000162
2016009685.tif 000163
2016009685.tif 000164
2016009685.tif 000165
2016009685.tif 000166
2016009685.tif 000167
2016009685.tif 000168
2016009685.tif 000169
2016009685.tif 000170
2016009685.tif 000171
2016009685.tif 000172
2016009685.tif 000173
2016009685.tif 000174
2016009685.tif 000175
2016009685.tif 000176
2016009685.tif 000177
2016009685.tif 000178
2016009685.tif 000179
2016009685.tif 000180
2016009685.tif 000181
2016009685.tif 000182
2016009685.tif 000183
2016009685.tif 000184
2016009685.tif 000185
2016009685.tif 000186
2016009685.tif 000187
2016009685.tif 000188
2016009685.tif 000189
2016009685.tif 000190
2016009685.tif 000191
2016009685.tif 000192
2016009685.tif 000193
2016009685.tif 000194
2016009685.tif 000195
2016009685.tif 000196
2016009685.tif 000197
2016009685.tif 000198
2016009685.tif 000199
2016009685.tif 000200
2016009685.tif 000201
2016009685.tif 000202
2016009685.tif 000203
2016009685.tif 000204
2016009685.tif 000205
2016009685.tif 000206
2016009685.tif 000207
2016009685.tif 000208
2016009685.tif 000209
2016009685.tif 000210
2016009685.tif 000211
2016009685.tif 000212
2016009685.tif 000213
2016009685.tif 000214
2016009685.tif 000215
2016009685.tif 000216
2016009685.tif 000217
2016009685.tif 000218
2016009685.tif 000219
2016009685.tif 000220
2016009685.tif 000221
2016009685.tif 000222
2016009685.tif 000223
2016009685.tif 000224
2016009685.tif 000225
2016009685.tif 000226
2016009685.tif 000227
2016009685.tif 000228
2016009685.tif 000229
2016009685.tif 000230
2016009685.tif 000231
2016009685.tif 000232
2016009685.tif 000233
2016009685.tif 000234
2016009685.tif 000235
2016009685.tif 000236
2016009685.tif 000237
2016009685.tif 000238
2016009685.tif 000239